(57)【特許請求の範囲】
【請求項１】
遊技盤の遊技領域に対して開口する入賞口と、該入賞口を開閉する開閉部材とを有する入賞手段を備え、当り判定手段が当りと判定した場合に、当該当り判定に基づく当り遊技の実行中に前記開閉部材が変位して前記入賞手段の入賞口への遊技球の入賞を許容するよう構成された遊技機において、
前記入賞手段には、前記入賞口から入賞した遊技球を案内する球導入路と、該球導入路から分岐した第１領域および第２領域とが設けられ、
前記第１領域へ遊技球が誘導されることで、当該当り遊技が終了後に遊技者に有利な特定遊技状態が付与されるよう設定され、
前記第１領域へ遊技球を振分ける姿勢および前記第２領域へ遊技球を振分ける姿勢に変位可能な振分け手段を備えると共に、該振分け手段を特定の作動条件に基づいて姿勢変位するよう構成され、
前記第１領域および第２領域のうち遊技球が多く振分けられる領域は、他方の領域よりも、前記遊技球の移動方向を変向する屈曲部が多く設けられ、
前記遊技領域を流下する遊技球が通過可能なゲート部と、該ゲート部を通過した遊技球を前記入賞手段が位置する側へ案内する壁部とを有するゲート部材を備え、
前記開閉部材は、前記入賞口を閉鎖する第１姿勢から前記ゲート部材の下方位置に向けて揺動することで前記入賞口を開放して、揺動先端が前記壁部の下端側に向く第２姿勢に変位するよう構成されると共に、前記遊技領域を流下する遊技球を受けて前記入賞口に案内する受け面が、前記第２姿勢にある当該開閉部材の揺動先端側から揺動中心側に近づくにつれて傾斜が緩やかとなる凹曲面状に形成され、
前記開閉部材における揺動中心よりも揺動先端側に連係して該開閉部材の揺動範囲を規制可能な規制手段を備えた
ことを特徴とする遊技機。
【発明の詳細な説明】
【技術分野】
【０００１】
この発明は、当り判定手段が当りと判定した場合に、当り遊技の実行中に入賞口が開放して遊技球が入賞可能となる入賞手段を備えた遊技機に関するものである。
【背景技術】
【０００２】
代表的な遊技機であるパチンコ機は、遊技店に設けられた設置枠台に固定される枠部材である外枠と、該外枠に対して着脱および開閉可能に枢支され、遊技盤が交換可能に配設される枠部材である中枠と、中枠の前面側に該中枠に着脱および開閉可能に枢支され、中枠に配設した遊技盤を透視保護する透明板が配設される枠部材としての前枠とを備えている。前枠には、透明板が配設される窓口の下方に、遊技球を貯留可能な上球貯留部や下球貯留部が配設されると共に、下球貯留部の右方に、上球貯留部から供給される遊技球を遊技盤に向けて発射させる打球発射装置を作動させる操作ハンドルが設けられている。
【０００３】
前記遊技盤は、その前面に遊技領域が画成されていると共に該遊技領域内には前後に貫通する開口が形成されて、枠状に構成された枠状装飾部材が該開口の開口縁に取り付けられて、該枠状装飾部材の内側には、遊技領域と区画された演出領域が画成されている。前記遊技領域には、案内釘や、図柄表示装置による図柄変動演出の契機となる始動入賞装置および普通入賞口や、大当りの実行時に入賞口を開口して多数の入賞球を発生させる特別入賞装置や、その他の遊技部品等が配設されている。また、演出領域には、遊技盤の後側に配設された図柄表示装置の表示部や可動演出装置等が臨んでおり、該図柄表示装置の表示部での図柄変動演出や可動演出装置の可動体による演出が当該演出領域内で視認可能となっている。
【０００４】
前述のように構成されたパチンコ機は、操作ハンドルの操作により遊技盤の遊技領域へ打ち込まれた遊技球が始動入賞装置に入賞して入賞球検出手段により検知されると、演出領域に臨む図柄表示装置の表示部での図柄変動演出が開始され、制御手段における当り判定に基づいて該表示部に図柄が所定の組み合わせで停止することにより遊技者に有利な特別遊技(例えば「大当り」)に当選すると、特別入賞装置における遊技領域に開口した入賞口が開放されて多数の賞球を獲得し得るよう構成される。このようなパチンコ機は、特許文献１に開示されている。
【先行技術文献】
【特許文献】
【０００５】
【特許文献１】特開２０１２−２００７０号公報
【発明の概要】
【発明が解決しようとする課題】
【０００６】
ところで、前記特別入賞装置は、入賞口から入賞した遊技球が通過する領域が設けられている。そして、大当り遊技の実行中には、単位時間当りに、多くの遊技球が、入賞口から入賞して前記通過領域を通過するようになる。このため、遊技球が領域を画成する壁部に衝突する頻度が高いため、該内壁が摩損したり破損する不都合がある。
【０００７】
すなわち本発明は、従来の技術に係る遊技機に内在する前記課題に鑑み、これを好適に解決するべく提案されたものであって、入賞手段に入賞した遊技球が減速、減勢された状態で該入賞手段内を移動するよう構成した遊技機を提供することを目的とする。
【課題を解決するための手段】
【０００８】
前記課題を解決し、所期の目的を達成するため、本発明の請求項１に係る発明は、
遊技盤(20)の遊技領域(24)に対して開口する入賞口(62)と、該入賞口(62)を開閉する開閉部材(63)とを有する入賞手段(60)を備え、当り判定手段(170a)が当りと判定した場合に、当該当り判定に基づく当り遊技の実行中に前記開閉部材(63)が変位して前記入賞手段(60)の入賞口(62)への遊技球の入賞を許容するよう構成された遊技機において、
前記入賞手段(60)には、前記入賞口(62)から入賞した遊技球を案内する球導入路(90)と、該球導入路(90)から分岐した第１領域(91)および第２領域(92)とが設けられ、
前記第１領域(91)へ遊技球が誘導されることで、当該当り遊技が終了後に遊技者に有利な特定遊技状態が付与されるよう設定され、
前記第１領域(91)へ遊技球を振分ける姿勢および前記第２領域(92)へ遊技球を振分ける姿勢に変位可能な振分け手段(95)を備えると共に、該振分け手段(95)を特定の作動条件に基づいて姿勢変位するよう構成され、
前記第１領域(91)および第２領域(92)のうち遊技球が多く振分けられる領域は、他方の領域よりも、前記遊技球の移動方向を変向する屈曲部(114)が多く設けられ、
前記遊技領域(24)を流下する遊技球が通過可能なゲート部と、該ゲート部を通過した遊技球を前記入賞手段(60)が位置する側へ案内する壁部とを有するゲート部材(73)を備え、
前記開閉部材(63)は、前記入賞口(62)を閉鎖する第１姿勢から前記ゲート部材(73)の下方位置に向けて揺動することで前記入賞口(62)を開放して、揺動先端が前記壁部の下端側に向く第２姿勢に変位するよう構成されると共に、前記遊技領域(24)を流下する遊技球を受けて前記入賞口(62)に案内する受け面(63b)が、前記第２姿勢にある当該開閉部材(63)の揺動先端側から揺動中心側に近づくにつれて傾斜が緩やかとなる凹曲面状に形成され、
前記開閉部材(63)における揺動中心よりも揺動先端側に連係して該開閉部材(63)の揺動範囲を規制可能な規制手段(116,120)を備えたことを要旨とする。
【０００９】
請求項１に係る発明によれば、入賞手段における第１領域および第２領域のうち遊技球が多く振分けられる領域が、他方の領域よりも屈曲部が多く設けられているので、該遊技球が多く振分けられる領域へ誘導された遊技球が減速、減勢され易い。従って、遊技球が多く振分けられる領域を画成する壁部は、遊技球の衝突による衝撃が軽減されるので、該遊技球が衝突する頻度が高くても摩損や破損が抑制される。
【００１０】
本願には、次のような技術的思想が含まれる。
前記球導入路(90)には、遊技球の移動方向を変向する導入屈曲部(112,113)が設けられており、
前記球導入路(90)を移動する前記遊技球が、前記導入屈曲部(112,113)を通過した後に、前記第１領域(91)または第２領域(92)のうちの何れかへ誘導されるよう構成されたことを要旨とする。
上記構成によれば、入賞口から球導入路へ導入された遊技球は、導入屈曲部を通過する際に減速、減勢されるので、減速、減勢された状態で第１領域または第２領域の何れかへ振分けられる。
【００１１】
本願には、次のような技術的思想が含まれる。
前記入賞口(62)から導入された前記遊技球の移動速度を低減させる減速手段(65)が前記球導入路(90)に配設され、
前記導入屈曲部(113,114)は、少なくとも前記減速手段(65)の下流側に設けられていることを要旨とする。
上記構成によれば、入賞口から球導入路へ導入された遊技球は、導入屈曲部に到達する前に減速手段により減速されるので、導入屈曲部を画成する壁部が遊技球の衝突により摩損したり破損するのを抑制し得る。
【発明の効果】
【００１２】
本発明に係る遊技機によれば、入賞手段に入賞した遊技球が減速、減勢した状態で該入賞手段内を移動するようにし得る。
【図面の簡単な説明】
【００１３】
【図１】実施例に係るパチンコ機の正面図である。
【図２】実施例のパチンコ機の遊技盤の正面図である。
【図３】遊技盤の前側に取り付けられる枠状装飾体と該遊技盤の後側に取り付けられる設置部材とを分離して示す斜視図である。
【図４】第２特別入賞装置が配設された枠状装飾体の左側部の部分斜視図である。
【図５】枠状装飾体に配設された第２特別入賞装置の第２特別入賞口が第２特別開閉部材により閉成された状態で示す遊技盤の部分断面図であって、パチンコ球がシャッタにより球導入路から非特定領域へ振分けられることを示している。
【図６】枠状装飾体に配設された第２特別入賞装置の第２特別入賞口が開放された状態で示す遊技盤の部分断面図であって、パチンコ球が球導入路から特定領域へ振分けられることを示している。
【図７】(ａ)は、図５のＸ１−Ｘ１線断面図であって、第２特別開閉部材が第２特別入賞口を閉成する場合にシャッタが第１振分け姿勢となることを示し、(ｂ)は、図６のＸ２−Ｘ２線断面図であって、第２特別開閉部材が第２特別入賞口を開放する場合にシャッタが第２振分け姿勢となることを示している。
【図８】後方右斜め上方から見た第２特別入賞装置の分解斜視図である。
【図９】前方左斜め上方から見た状態で示す第２特別入賞装置の第２装置本体の分解斜視図である。
【図１０】前方左斜め上方から見た状態で示す第２特別入賞装置の開閉機構の分解斜視図である。
【図１１】前方左斜め上方から見た状態で示す第２特別入賞装置の振分け機構の分解斜視図である。
【図１２】第２特別入賞装置における開閉機構の第２特別入賞ソレノイドおよび振分け機構の振分けソレノイドの作動態様の一例を示すタイミングチャートである。
【図１３】実施例に係るパチンコ機の制御構成を示すブロック図である。
【図１４】各大当り遊技における規定回数のラウンドにおいて作動制御される特別入賞装置を示す図である。
【発明を実施するための形態】
【００１４】
次に、本発明に係る遊技機につき、好適な実施例を挙げて、添付図面を参照しながら以下詳細に説明する。なお、実施例では、遊技機として、遊技媒体としてパチンコ球を用いて遊技を行うパチンコ機を例に挙げて説明する。また、以下の説明において、「前」、「後」、「左」、「右」とは、特に説明がなければ、図１に示すようにパチンコ機１０を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２、図３参照)を着脱可能に保持する本体枠としての中枠１２が開閉および着脱可能に組み付けられている。また、中枠１２の前面側には、遊技盤２０を透視保護するガラス板等の透視保護体１３ａを備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。また、中枠１２の右下方位置には、該中枠１２に配設された打球発射装置(図示せず)を作動する操作ハンドル１６が設けられており、該操作ハンドル１６の操作により打球発射装置が作動することで、上球受け皿１４に貯留されたパチンコ球が遊技盤２０に向けて発射されるようになっている。なお、上球受け皿１４は、前枠１３と別体に形成して中枠１２に対して開閉可能に組み付けるようにしてもよく、また上下の球受け皿の一方を省略して１つの球受け皿のみ設ける構成であってもよい。
【００１６】
（中枠１２について）
前記中枠１２は、図１に示すように、上縁をなす上枠部と、下縁をなして打球発射装置等が設置された下枠部と、左側縁をなす左枠部と、右側縁をなす右枠部とから構成され、全体が外枠１１の開口に整合する矩形枠状に形成される。中枠１２には、遊技盤２０を前側から着脱可能に設置し得る遊技盤保持部が設けられている。そして中枠１２は、外枠１１の左上および左下に設けられたヒンジ１７,１７を介して該外枠１１に枢支され、該外枠１１に対して左側端部を中心として開閉し得るようになっている。なお中枠１２は、上下左右の各枠部が一体成形されたものであってもよい。
【００１７】
(前枠１３について)
前記前枠１３は、図１に示すように、中枠１２の外郭形状に略合致する板状に形成されると共に前後方向に開口する窓口１８が開設された枠本体の前側に、該窓口１８を囲むように複数の装飾部材１９が取り付けられている。窓口１８には、前記透視保護体１３ａが配設されている。そして、装飾部材１９内には、ＬＥＤチップを実装しランプ装置２８が配設され、該発光基板のＬＥＤチップが発光制御されることで装飾部材１９の光透過部分が明輝されるようになっている。また、前枠１３の上部には、効果音等を発生可能なスピーカ２９が配設されている。
【００１８】
(遊技盤２０について)
前記遊技盤２０は、図２および図３に示すように、中枠１２に設けられた遊技盤保持部の内縁形状に整合する外形形状に形成された略矩形の平板状の板材である。遊技盤２０は、ベニア等を貼り合わせた木製合板または透明な合成樹脂板から形成されている。そして、遊技盤２０の後側には、後述する設置部材７５が配設されており、該設置部材７５には、可動演出装置８５(図１３参照)や球排出路部材(図示せず)等が配設されている。遊技盤２０の前側には、左下部から右上部にかけて円弧状に延在する外レール２１と、この外レール２１の内側に中央下部から左上部にかけて並べて配置された内レール２２と、外レール２１の右上部から内レール２２の下部までの間に右方へ凹む湾曲形状に構成された盤面飾り部材２３等が配設されており、両レール２１,２２および盤面飾り部材２３で囲まれた内側が遊技領域２４として構成されている。遊技盤２０には、前後に貫通する複数の装着口２０ａ〜２０ｃが遊技領域２４内に開設されて、各装着口２０ａ〜２０ｃに対して各種の遊技盤構成部品が前側から取り付けられる。また、遊技領域２４の最下部位置には、該遊技領域２４に打ち出されたパチンコ球を排出するアウト口２５が開設されている。更に、遊技盤２０には、遊技領域２４内に多数の遊技釘２６や回転体２７が配設されており、遊技領域２４を流下するパチンコ球が、遊技釘２６や回転体２７に接触することで流下方向を不規則に変化したり誘導されるようになっている。なお、遊技盤２０に開設される装着口２０ａ〜２０ｃの形成数や大きさは、遊技盤２０に対して取り付けられる各種部品の個数や配設位置等に応じて適宜決定される。
【００１９】
図２および図３に示すように、前記遊技盤２０に開設された装着口２０ａ〜２０ｃには、後述する枠状装飾体４０や、遊技領域２４を流下するパチンコ球が入賞可能な始動入賞装置３０および普通入賞具７０が取り付けられている。すなわち、枠状装飾体４０は、遊技領域２４の中央に開口形成された装着口２０ａに取り付けられ、左側の第１遊技領域２４ａおよび右側の第２遊技領域２４ｂに遊技領域２４を分けている。なお、第２遊技領域２４ｂは、枠状装飾体４０と外レール２１および盤面飾り部材２３との間隔がパチンコ球の直径の２倍以下である通路状となっている。また、枠状装飾体４０には、第１特別入賞装置５０、第２特別入賞装置６０およびゲート部材７３、１つの普通入賞具７０などが取り付けられている。一方、前記始動入賞装置３０は、枠状装飾体４０が取り付けられる装着口２０ａの下方に開口形成された装着口２０ｂに取り付けられている。更に、複数(実施例では３つ)の前記普通入賞具７０は、第１遊技領域２４ａの下部に設けられた装着口２０ｃに取り付けられている。
【００２０】
(始動入賞装置３０について)
前記始動入賞装置３０は、図２に示すように、上方に設けられた第１始動入賞口３１と、該第１始動入賞口３１の下方に設けられた第２始動入賞口３２とを備えている。第１始動入賞口３１は、該第１始動入賞口３１に入賞したパチンコ球(入賞球)を検出すると共に検出信号をメイン制御手段としてのメイン制御基板１７０(図１３参照)へ送信する第１始動入賞検出センサ３３(図１３参照)を備えている。この第１始動入賞口３１は、遊技領域２４内で常に上方へ開口する常時開放タイプの入賞口であり、該遊技領域２４を流下するパチンコ球が常時一定の確率で入賞可能に構成されている。そして、第１始動入賞検出センサ３３からの検出信号を受信したメイン制御基板１７０は、球払出装置が所定数の賞球を払い出させるように球払出制御基板に制御信号を送信すると共に、入賞時情報(各種乱数情報)を取得して、該入賞時情報に基づいて大当り(当り)判定(抽選)を行うようになる。
【００２１】
前記第２始動入賞口３２は、該第２始動入賞口３２に入ったパチンコ球(入賞球)を検出すると共に検出信号をメイン制御基板１７０へ送信する第２始動入賞検出センサ３４(図１３参照)を備えている。また、第２始動入賞口３２は、左右方向へ揺動して該第２始動入賞口３２を開閉する始動開閉部材３５と、該始動開閉部材３５,３５を開閉動作させる作動手段としての始動入賞ソレノイド３６(図１３参照)とを備え、始動開閉部材３５,３５は、該始動入賞ソレノイド３６の作動により第２始動入賞口３２を閉鎖する閉鎖位置および開放する開放位置に変位するよう構成されている。すなわち、実施例の第２始動入賞口３２は、始動開閉部材３５,３５が変位することで、第２始動入賞口３２に対するパチンコ球の入賞確率を可変し得るよう構成されている。そして、第２始動入賞検出センサ３４からの検出信号を受信したメイン制御基板１７０は、前述したように、球払出装置が所定数の賞球を払い出させるように球払出制御基板に制御信号を送信すると共に、入賞時情報(各種乱数情報)を取得して、該入賞時情報に基づいて大当り(当り)判定(抽選)を行うようになる。
【００２２】
(枠状装飾体４０について)
図２および図３に示すように、前記枠状装飾体４０は、環状に形成された枠本体４１と、該枠本体４１に配設された装飾部材４２とを備えている。そして、枠本体４１に、前記第１特別入賞装置５０および第２特別入賞装置６０が配設されており、該枠本体４１内において、前記装飾部材４２および各特別入賞装置５０,６０で囲まれた内側が、前後に開口する演出窓口４０ａとなっている。枠本体４１は、遊技盤２０の前面から前方へ突出して形成された区画板４４と、該区画板４４の外側面から遊技盤２０の盤面に沿う方向へ延出した取付板４５とを備えている。これにより、枠状装飾体４０は、該遊技盤２０に設けられた前記装着口２０ａに対して該遊技盤２０の前側から取り付けることで、枠本体４１の区画板４４が該装着口２０ａの開口内面を覆うと共に、取付板４５が遊技盤２０の前面に当接する。そして、取付板４５を遊技盤２０にネジにより固定することで、枠状装飾体４０が該遊技盤２０に固定される。この枠状装飾体４０の枠本体４１の区画板４４は、第１遊技領域２４ａおよび第２遊技領域２４ｂを流下するパチンコ球が枠状装飾体４０の演出窓口４０ａ側へ流入することを規制する。
【００２３】
前記枠状装飾体４０の枠本体４１には、図２および図３に示すように、前記第１特別入賞装置５０を設置する第１設置部４６と、前記第２特別入賞装置６０を設置する第２設置部４７とが設けられている。第１設置部４６は、枠本体４１の区画板４４の内側において、上部略中央に設けられている。また、第２設置部４７は、枠本体４１の区画板４４の内側において、左側部に設けられている。更に、枠本体４１の区画板４４の内側における右側部に、前記装飾部材４２を固定する固定部４８が設けられている。なお、前記枠本体４１の区画板４４は、第１設置部４６に設置された前記第１特別入賞装置５０の第１特別入賞口５２に対応する部分で分断されており、遊技領域２４から該第１特別入賞口５２へのパチンコ球の入賞を可能とする。同様に、枠本体４１の区画板４４は、第２設置部４７に設置された前記第２特別入賞装置６０の第２特別入賞口６２に対応する部分で分断されており、遊技領域２４から該第２特別入賞口６２へのパチンコ球の入賞を可能とする。
【００２４】
ここで、図２に示すように、前記遊技領域２４の略中央において遊技盤２０の後側に配設された図柄表示装置８０は、左右および上下の寸法を大きくして表示領域を広くした矩形状の大型画面の表示部８１を備えている。このため、前記枠状装飾体４０は、表示部８１の視認性を確保するために大型の環状部材とならざるを得ない。しかし、枠状装飾体４０の左右寸法および上下寸法が大きくなると、該枠状装飾体４０と外レール２１および内レール２２との間に画成される前記第１遊技領域２４ａが相対的に狭くなってしまう。従って、枠状装飾体４０は、第１遊技領域２４ａを可能な限り広くするため、枠本体４１の上側左部の上下寸法を小さくすると共に、該枠本体４１の左側部の左右寸法を可能な限り小さくする必要がある。このため、特に枠本体４１の左側部に設けられた前記第２設置部４７は、前記枠本体４１の区画板４４と前記図柄表示装置８０の表示部８１の左縁との間において、上下寸法よりも左右寸法が小さい縦長となっている。
【００２５】
(第１特別入賞装置５０について)
前記第１特別入賞装置５０は、図２および図３に示すように、第１遊技領域２４ａに開口した第１特別入賞口５２が設けられた第１装置本体５１と、左右方向へ揺動して該第１特別入賞口５２を開閉自在に閉鎖する第１特別開閉部材５３とを備えている。また、第１特別入賞装置５０は、第１特別開閉部材５３を開閉する開閉手段としての第１特別入賞ソレノイド５４(図１３参照)と、第１特別入賞口５２に入賞したパチンコ球(入賞球)を検出すると共に検出信号をメイン制御基板１７０へ送信する第１特別入賞検出センサ５５(図１３参照)とを備えている。この第１特別入賞ソレノイド５４は、メイン制御基板１７０のメイン制御ＣＰＵ１７０ａにより励磁、非励磁制御される。第１特別開閉部材５３は、第１装置本体５１に回転自在に配設され、第１特別入賞ソレノイド５４の作動に伴って、第１特別入賞口５２が閉鎖する閉鎖位置と開放する開放位置とに揺動する。そして、第１特別入賞検出センサ５５からの検出信号を受信したメイン制御基板１７０は、球払出装置が所定数の賞球を払い出させるように球払出制御基板に制御信号を送信する。ここで、第１始動入賞口３１へパチンコ球が入賞して第１始動入賞検出センサ３３から検出信号がメイン制御基板１７０へ送信されたことを契機として、または第２始動入賞口３２へパチンコ球が入賞して第２始動入賞検出センサ３４から検出信号がメイン制御基板１７０へ送信されたことを契機として、メイン制御基板１７０が行う大当り抽選の結果として所定の大当り遊技が生起された場合に、該大当り遊技に設定された規定回数のラウンド遊技における決められたラウンドにおいて、第１特別入賞装置５０の第１特別開閉部材５３を動作させて第１特別入賞口５２を所定の回数で開放するようになっている。すなわち、メイン制御基板１７０は、所定の判定条件の成立を契機として当り判定を実行する当り判定手段としての機能を備えている。
【００２６】
(第２特別入賞装置６０について)
前記第２特別入賞装置６０は、図２および図３に示すように、前記第２設置部４７に設置可能に構成され、左右の寸法よりも上下の寸法が大きい縦長に構成されている。第２特別入賞装置６０は、第１遊技領域２４ａに開口した第２特別入賞口６２が設けられた第２装置本体６１と、左右方向へ揺動して該第２特別入賞口６２を開閉自在に閉鎖する第２特別開閉部材６３とを備える。また、第２特別入賞装置６０は、第２特別開閉部材６３を開閉する開閉手段としての第２特別入賞ソレノイド６４(図１３参照)と、第２特別入賞口６２に入賞したパチンコ球(入賞球)を検出すると共に検出信号をメイン制御基板１７０へ送信する第２特別入賞検出センサ６５(図１３参照)とを備えている。この第２特別入賞ソレノイド６４は、メイン制御基板１７０のメイン制御ＣＰＵ１７０ａにより励磁、非励磁制御される。第２特別開閉部材６３は、第２装置本体６１に揺動自在に配設され、第２特別入賞ソレノイド６４の作動に伴って、第２特別入賞口６２が閉鎖する閉鎖位置と開放する開放位置とに揺動する。そして、第２特別入賞検出センサ６５からの検出信号を受信したメイン制御基板１７０は、前述したように、球払出装置が所定数の賞球を払い出させるように球払出制御基板に制御信号を送信する。ここで、第１始動入賞口３１へパチンコ球が入賞して第１始動入賞検出センサ３３から検出信号がメイン制御基板１７０へ送信されたことを契機として、または第２始動入賞口３２へパチンコ球が入賞して第２始動入賞検出センサ３４から検出信号がメイン制御基板１７０へ送信されたことを契機として、メイン制御基板１７０が行う大当り抽選の結果として所定の大当り遊技が生起された場合に、該大当り遊技に設定された規定回数のラウンド遊技における決められたラウンドにおいて、第２特別入賞装置６０の第２特別開閉部材６３を動作させて第２特別入賞口６２を所定の回数で開放するようになっている。なお、第２特別入賞装置６０の詳細については、後述する。
【００２７】
(普通入賞具７０)
図２に示す前記各普通入賞具７０は、パチンコ球が入賞可能に遊技領域２４内で常に上方へ開口する常時開口タイプの普通入賞口７１を備え、遊技領域２４を流下するパチンコ球が常時一定の確率で入賞可能に構成されている。また、各普通入賞具７０は、普通入賞口７１に入賞したパチンコ球を検出する普通入賞検出手段としての普通入賞検出センサ７２(図１３参照)を備えている。各普通入賞検出センサ７２は、前記メイン制御基板１７０(メイン制御ＣＰＵ１７０ａ)に配線接続されている(図１３参照)。普通入賞検出センサ７２は、パチンコ球を検出すると検出信号をメイン制御基板１７０に出力し、該メイン制御基板１７０の制御下に予め設定された数の賞球が払い出されるようになっている。なお、実施例では、各普通入賞具７０の普通入賞口７１へパチンコ球が入球した際の賞球数が５個に設定されている。
【００２８】
(ゲート部材７３について)
図２および図４に示す前記ゲート部材７３は、そのゲート部を通過するパチンコ球を検出するゲートセンサ７４(図１３参照)が設けられている。このゲートセンサ７４は、前記メイン制御基板１７０(メイン制御ＣＰＵ１７０ａ)に配線接続されており(図１３参照)、該ゲートセンサ７４からメイン制御基板１７０への球検出信号の入力(すなわちゲートセンサ７４のパチンコ球の検出)に伴って各種情報(後述する普図当り判定用乱数)が取得され、この取得した情報に基づいて後述する普図当り判定(普図当り抽選)が行われるよう構成されている。そして、この普図当り抽選の結果に応じて前記第２始動入賞口３２の始動入賞ソレノイド３６が駆動制御され、始動開閉部材３５,３５が開閉動作するようになっている。
【００２９】
前述のように構成された遊技盤２０では、打球発射装置から発射されたパチンコ球が外レール２１と内レール２２との間を通って遊技領域２４の左側上部に打ち出された際に、該打球発射装置による打球力を弱く調整した所謂左打ちの場合は、パチンコ球は主に遊技領域２４の第１遊技領域２４ａを流下する。また、打球発射装置とによる打球力を強く調整した場合は、パチンコ球は、遊技領域２４の第２遊技領域２４ｂへ移動するようになっている。そして、遊技領域２４に打ち出されたパチンコ球が始動入賞装置３０の第１始動入賞口３１または第２始動入賞口３２に入賞して第１始動入賞検出センサ３３または第２始動入賞検出センサ３４が検出すると、当該パチンコ機１０を総合的に制御するメイン制御基板１７０に対して該始動入賞検出センサ３３,３４から検出信号が送信される。これに基づいてメイン制御基板１７０は、大当り判定を行うと共に、当該大当り判定の判定結果に基づいてサブ制御手段としての演出制御基板１７５に制御信号を出力して、後述する図柄表示装置８０の表示部８１において図柄変動演出を行わせるようになっている。そして、図柄表示装置８０での図柄変動演出の結果、表示部８１に所定の図柄組み合わせ(例えば同一図柄の３つ揃い等)で図柄が確定的に停止表示されると所謂大当り遊技が生起され、当該大当り遊技の規定回数の各ラウンド遊技において、第１特別入賞装置５０の第１特別入賞口５２または第２特別入賞装置６０の第２特別入賞口６２が開放し、遊技者が多数の賞球を獲得可能な機会が与えられる。なお、前述した各始動入賞口３１,３２、各特別入賞口５２,６２および普通入賞口７１の何れにも入賞することなく遊技領域２４の下部まで流下したパチンコ球は、アウト口２５を介して遊技盤２０の裏側へ回収される。
【００３０】
(大当り遊技について)
実施例のパチンコ機１０では、前記メイン制御基板１７０のメイン制御ＣＰＵ１７０ａが大当り判定により大当りと判定した場合に、複数種類の大当り遊技の中から１つの大当り遊技が決定される。実施例では、図１４に示すように、大当り遊技として、規定回数が１５回のラウンド遊技から構成される第１大当り遊技と、規定回数が７回のラウンド遊技から構成される第２大当り遊技との２種類が設定されている。各大当り遊技は、大当り遊技の開始を示すオープニング演出ＯＰと、オープニング演出終了後に行われる規定ラウンド数(実施例では７ラウンドまたは１５ラウンド)だけラウンド間インターバル時間を挟んで繰り返されるラウンド遊技と、大当り遊技の終了を示すエンディング演出ＥＤとにより構成されている。そして、各大当り遊技におけるラウンド遊技においては、第１特別入賞口５２または第２特別入賞口６２の何れか一方が開放されて、該第１特別入賞口５２または第２特別入賞口６２に規定個数(例えば９個)のパチンコ球が入賞するか、あるいは各ラウンド遊技の開始から規定時間(ラウンド遊技時間)が経過することで、当該のラウンド遊技が終了する。なお、大当り遊技における各ラウンド遊技の間は、所定時間だけ第１特別開閉部材５３または第２特別開閉部材６３が閉鎖状態で保持されるラウンド間インターバル時間が設定されている。
【００３１】
前記第１大当り遊技は、規定回数が１５回のラウンド遊技が設定されている。そして、第１〜第３ラウンド遊技および第５〜第１５ラウンド遊技では、前記第１特別入賞装置５０が作動制御されて、第１特別入賞口５２が開放するようになっている。また、第４ラウンド遊技では、前記第２特別入賞装置６０が作動制御されて、第２特別入賞口６２が開放するようになっている。一方、前記第２大当り遊技は、規定回数が７回のラウンド遊技が設定されている。そして、第１〜第３ラウンド遊技および第５〜第７ラウンド遊技では、前記第１特別入賞装置５０が作動制御されて、第１特別入賞口５２が開放するようになっている。また、第４ラウンド遊技では、前記第２特別入賞装置６０が作動制御されて、第２特別入賞口６２が開放するようになっている。
【００３２】
(確変状態の付与について)
また、実施例のパチンコ機１０は、大当り遊技終了後に遊技者に有利な遊技状態として特典遊技状態を付与する機能を備えている。ここで、特典遊技状態としては、前記第１特別入賞装置５０の第１特別入賞口５２および第２特別入賞装置６０の第２特別入賞口６２へのパチンコ球の入賞契機が、当該特典遊技状態が付与されていない状態に較べて増加する状態である。具体的には、特典遊技状態として、特図当り確率を低確率から高確率に変動することにより特別入賞口５２,６２へのパチンコ球の入賞契機を増加する「確変状態」が付与される。そして、実施例のパチンコ機１０では、前記第２特別入賞装置６０の第２特別入賞口６２に入賞したパチンコ球が、該第２装置本体６１内に設けられた特定領域９１へ振分けられて、該特定領域９１に配設された検出手段である特定入賞検出センサ６６(図５、図１３参照)で検出された場合に、当該大当り遊技の終了後に特定遊技状態として前記「確変状態」が付与されるように構成されている。
【００３３】
(設置部材７５について)
前記遊技盤２０の後側に配設される設置部材７５は、図３に示すように、遊技盤２０の外郭形状より僅かに小さい形状に形成された略矩形状の設置壁部７６と、該設置壁部７６の外周縁部から前方に突出する外周壁部７７とを備え、設置壁部７６から前方に開口した箱状に形成されている。そして、外周壁部７７の開口前端部に設けられた取付片部７７ａを、遊技盤２０の後面に当接させた状態で遊技盤２０にネジ止め固定することで、設置部材７５は該遊技盤２０に取り付けられる。設置部材７５における設置壁部７６の前側には、遊技盤２０の後面との間に空間が画成され、該空間には、可動演出装置８５(図１３参照)を含む演出装置および球排出路部材等(図示せず)が配設される。設置壁部７６は、その後面に図柄表示装置８０が着脱自在に取り付けられると共に、前記枠状装飾体４０の演出窓口４０ａと前後に整列する位置に、略矩形状の表示開口７８が前後に開口するよう開設される。表示開口７８には、設置壁部７６の後面に取り付けた図柄表示装置８０の表示部８１が後方から臨むようになり、図柄表示装置８０の表示部８１は、表示開口７８および演出窓口４０ａを介して遊技盤２０の前側から視認可能となる。
【００３４】
(図柄表示装置８０について)
前記図柄表示装置８０は、各種図柄を表示可能な表示部８１をなす液晶パネルが収容ケースに収容されたユニット部材であって、該収容ケースの後面には、該図柄表示装置８０の表示部８１の表示制御を行う表示制御基板１８０(図１３参照)を収容した図柄表示基板ケースと、当該パチンコ機１０の遊技演出を統括的に制御する演出制御基板１７５(図１３参照)を収容した演出制御基板ケースとが配設されている。図柄表示装置８０の表示部８１には、図２に示すように、飾図を変動表示可能な図柄列８２ａ,８２ｂ,８２ｃが複数列(例えば３列)設定されており、始動入賞装置３０の第１始動入賞口３１または第２始動入賞口３２へのパチンコ球の入賞を契機として、各図柄列８２ａ,８２ｂ,８２ｃの飾図が変動開始されると共に背景画像等が表示され、選択された図柄変動演出(リーチ演出や外れ演出等)を行った後に、予め決定された最終停止図柄を、入賞ライン８３上に停止表示するようになっている。なお実施例では、図柄表示装置８０として、表示部８１が液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００３５】
(第２特別入賞装置６０について)
次に、前記第２特別入賞装置６０について、図４〜図１１を引用して説明する。この第２特別入賞装置６０は、図５および図６に示すように、第２装置本体６１が上下寸法よりも左右寸法が小さい縦長の装置である。そして、第２特別入賞装置６０は、前記第２設置部４７に設置した際に、第２装置本体６１の左側縁が枠本体４１の区画板４４に右側から近接すると共に、該第２装置本体６１の右側縁が前記図柄表示装置８０の表示部８１の左縁と前後方向で略一致している。このような第２特別入賞装置６０は、第２装置本体６１内に、前記第２特別開閉部材６３により開閉される前記第２特別入賞口(入賞口)３２から入賞したパチンコ球を案内する球導入路９０と、該球導入路９０から２つに分岐した第１領域としての特定領域９１および第２領域としての非特定領域９２とが設けられている。球導入路９０は第２装置本体６１内の上側に設けられ、特定領域９１および非特定領域９２は、該球導入路９０の下側に設けられている。また、前記球導入路９０の下流部には、振分け手段としてのシャッタ９５が配設されており、該球導入路９０を通過したパチンコ球が、該シャッタ９５により特定領域９１または非特定領域９２の何れか一方へ振分けられるよう構成されている。前記シャッタ９５により前記特定領域９１または非特定領域９２へ振分けられたパチンコ球は、各々の領域９１,９２の下流部に設けられた球通出口を介して、遊技盤２０の後側へ通出された後に機外へ排出される。
【００３６】
前記第２特別入賞装置６０は、図８および図９に示すように、前記球導入路９０、特定領域９１および非特定領域９２が画成された第２装置本体６１に、前記第２特別開閉部材６３を備えた開閉機構９３と、前記シャッタ９５を備えた振分け機構９４とを備えている。前記開閉機構９３および振分け機構９４は、前記第２装置本体６１の後部に設けられた取付部に、上下に隣接して配設されている。また、第２特別入賞装置６０は、前記第２特別入賞口６２から入賞して前記球導入路９０を通過するパチンコ球を検出する前記第２特別入賞検出センサ(減速手段)６５と、前記特定領域９１に案内されたパチンコ球を検出する特定入賞検出センサ(検出手段)６６とを備えている。
【００３７】
(第２装置本体６１について)
前記第２装置本体６１は、複数の部材を互いに組み付けることで、内部に前記球導入路９０、特定領域９１および非特定領域９２が画成されている。実施例の第２装置本体６１は、図８および図９に示すように、前本体部材１００および後本体部材１０１の２部材を前後に組み付けることで、前記球導入路９０が当該装置本体６１の内部上側に画成され、前記特定領域９１および非特定領域９２が、該球導入路９０の下方において横並びに画成されている。
【００３８】
(前本体部材１００について)
前記前本体部材１００は、図８および図９に示すように、上下に長い前板部１０２と、該前板部１０２の後面から後方へ延出した壁部１０３とを備えている。前本体部材１００は、透明な合成樹脂製の成形部材であり、前記球導入路９０、特定領域９１および非特定領域９２を通過するパチンコ球を、前記前板部１０２を介して前側から視認可能になっている。また、前板部１０２の前面には、特定領域９１および非特定領域９２を通過するパチンコ球を視認可能な状態で、印刷または塗装およびシール１０４による加飾が施されている。そして、前本体部材１００には、前記第２特別開閉部材６３を回転可能に支持する支持軸１１５(図８参照)の前部を支持する軸支持部１０５が形成されている。更に、前本体部材１００には、前記第２特別入賞検出センサ６５を設置する第１センサ設置部１０６と、前記特定入賞検出センサ６６を設置する第２センサ設置部１０７とが設けられている。
【００３９】
前記壁部１０３は、図５、図６および図８に示すように、前記球導入路９０を画成する導入壁部１０８と、前記特定領域９１を画成する特定壁部１０９と、前記非特定領域９２を画成する非特定壁部１１０とから構成されている。これら導入壁部１０８、特定壁部１０９および非特定壁部１１０は、前記前板部１０２の後面から後方への延出長が同じで、パチンコ球の直径より僅かに大きい延出長となっている。
【００４０】
(導入壁部１０８について)
前記導入壁部１０８は、図５および図６に示すように、複数の壁部(実施例では４つ)１０８ａ,１０８ｂ,１０８ｃ,１０８ｄとからなる。第１導入壁部１０８ａは、前記前板部１０２の左上部から右下がりに延在すると共に下方へ湾曲して、該前板部１０２の右縁部に沿って下方へ延在するように形成されている。第２導入壁部１０８ｂは、第１導入壁部１０８ａの下縁から下方へ延在すると共に左方へ湾曲して、前板部１０２の左右略中央部まで左下がりに延在するように形成されている。第３導入壁部１０８ｃは、前板部１０２の左右略中央部から右下がりに延在すると共に下方へ折曲して下方へ延在するように形成されている。この第３導入壁部１０８ｃは、パチンコ球の直径より大きくかつ直径の２倍以下の間隔で前記第１導入壁部１０８ａから離間した位置に形成されている。また、第１導入壁部１０８ａの左端部と第３導入壁部１０８ｃの左端部との間に、前記第２特別入賞口６２が形成されていると共に、前記第２特別開閉部材６３が位置している。前記第４導入壁部１０８ｄは、前記第３導入壁部１０８ｃの下端部に隣接した位置から左下がりに延在すると共に下方へ湾曲して、前板部１０２の左縁部に沿って下方へ延在するように形成されている。
【００４１】
(球導入路９０について)
図５および図６に示すように、前記導入壁部１０８と、前記前板部１０２および後述する後板部１１７とより画成された前記球導入路９０は、１つ以上の屈曲部が形成されている。実施例の球導入路９０は、該第１導入壁部１０８ａおよび第３導入壁部１０８ｃにより形成された第１導入屈曲部１１１と、前記第２導入壁部１０８ｂにより形成された第２導入屈曲部１１２と、前記第４導入壁部１０８ｄにより形成された第３導入屈曲部１１３とを有している。すなわち、球導入路９０は、左上部に形成された前記第２特別入賞口６２から右下がりに延在し、第１導入屈曲部１１１により下方へ湾曲し、第２導入屈曲部１１２により左方へ湾曲し、第３導入屈曲部１１３により下方へ延在している。ここで、前記第１導入屈曲部１１１と第２導入屈曲部１１２との間は、略垂直に延在する第１直線部９０ａとなっている。そして、第２導入屈曲部１１２と第３導入屈曲部１１３との間は、左下がりに延在する第２直線部９０ｂとなっている。また、第３導入屈曲部１１３の出口部は、略垂直下方に向いていると共に、前記第２特別開閉部材６３の配設位置の略垂直下方に位置している。そして、第３導入屈曲部１１３の出口部の直下に、前記シャッタ９５が配設されている。
【００４２】
また、図５、図６および図８に示すように、前記第１導入屈曲部１１１と第２導入屈曲部１１２に夫々連通する前記第１直線部９０ａの下流部に、前記第１センサ設置部１０６が設けられている。更に、前記第１直線部９０ａにおいて、前記第１センサ設置部１０６の直上となる位置に、球導入路９０内へ突出した突起１２１が設けられている。この突起１２１は、前記前板部１０２の裏面に横長に突出しており、第１直線部９０ａを下方へ移動するパチンコ球と接触可能となっている。すなわち、突起１２１は、第１直線部９０ａを下方へ移動するパチンコ球が接触することで、該パチンコ球の速度、勢いを減速、減勢させるためのものである。なお、後板部１１７には、前記突起１２１と前後に対向する位置に、後方へ凹んだ凹部１２２が設けられており(図９参照)、該突起１２１に接触したパチンコ球の下方への移動が規制されないように構成されている。
【００４３】
従って、第２特別入賞口６２から入賞したパチンコ球は、球導入路９０を移動する間に、右方へ移動した後に第１導入屈曲部１１１により下方へ変向され、下方へ移動した後に第２導入屈曲部１１２により右方へ変向され、更に右方へ移動した後に第３導入屈曲部１１３により下方へ変向されるようになっている。すなわち、球導入路９０は、第２特別入賞口６２から勢いよく入賞したパチンコ球が前記第１〜第３導入屈曲部１１１,１１２,１１３を順次通過する際に変向することで、該パチンコ球を減速、減勢させ得る構造となっている。更に、球導入路９０は、前記第１直線部９０ａが垂直に延在しているが、該第１直線部９０ａに前記突起１２１を設けたことで、第１直線部９０ａを下方へ移動するパチンコ球を減速、減勢させ得る。また、球導入路９０が前記第１〜第３導入屈曲部１１１,１１２,１１３を備えていることで、該球導入路９０が前記第１〜第３導入屈曲部１１１,１１２,１１３を備えていない場合よりも、第２特別入賞口６２から入賞したパチンコ球が当該球導入路９０を通過するのに要する時間が長くなるようになっている。
【００４４】
(特定壁部１０９について)
前記特定壁部１０９は、図５および図６に示すように、複数の壁部(実施例では２つ)１０９ａ,１０９ｂからなる。前記第１特定壁部１０９ａは、前記第４導入壁部１０８ｄの左下部に連なり、前板部１０２の左縁部に沿って下方へ直線状に延在するように形成されている。第２特定壁部１０９ｂは、前記第３導入壁部１０８ｃの左縁部に対してパチンコ球の直径より僅かに大きい間隔で下方に離間した位置から、下方へ略直線に延在するように形成されている。また、第２特定壁部１０９ｂは、前記第１特定壁部１０９ａにおける上下に延在する部分に対して、パチンコ球の直径より僅かに大きい間隔で右方に離間して形成されている。
【００４５】
(特定領域９１について)
図５および図６に示すように、前記特定壁部１０９と、前記前板部１０２および後板部１１７とより画成された実施例の特定領域９１は、前記球導入路９０の下部から下方へ直線状に延在している。そして、特定領域９１は、球導入路９０の前記第３導入屈曲部１１３の出口部の真下に設けられており、前記第２特別開閉部材６３の下方に位置している。従って、球導入路９０から特定領域９１へ振分けられたパチンコ球は、下方へ直線状に移動するようになっている。
【００４６】
(非特定壁部１１０について)
前記非特定壁部１１０は、図５および図６に示すように、複数の壁部(実施例では３つ)１１０ａ,１１０ｂ,１１０ｃからなる。第１非特定壁部１１０ａは、前記第３導入壁部１０８ｃの左縁部から右下がりに延在すると共に下方へ湾曲して、該前板部１０２の右縁部に沿って下方へ延在するように形成されている。第２非特定壁部１１０ｂは、前記第１非特定壁部１１０ａの上縁部から右下がりに延在している。第２非特定壁部１１０ｂは、前記第１非特定壁部１１０ａに対してパチンコ球の直径より僅かに大きい間隔で離間して形成されている。第３非特定壁部１１０ｃは、前記第２非特定壁部１１０ｂの右縁部から、下方へ略直線に延在するように形成されている。また、第３非特定壁部１１０ｃは、前記第１非特定壁部１１０ａにおける上下に延在する部分に対して、パチンコ球の直径より僅かに大きい間隔で左方に離間して形成されている。
【００４７】
(非特定領域９２について)
図５および図６に示すように、前記非特定壁部１１０と、前記前板部１０２および後板部１１７とより画成された前記非特定領域９２は、屈曲部が形成されている。実施例の非特定領域９２は、該第１非特定壁部１１０ａにより形成された１つの非特定屈曲部１１４を有している。すなわち、非特定領域９２は、球導入路９０の下部から右下がりに延在し、非特定屈曲部１１４により下方へ湾曲して下方へ直線状に延在している。そして、非特定領域９２の右下がりに延在する部分は、前記球導入路９０の第２直線部９０ｂの真下に位置し、該球導入路９０の垂直下方へ直線状に延在する部分は、前記球導入路９０の第１直線部９０ａの真下において下方に離間して位置している。また、前記非特定屈曲部１１４は、前記第２導入屈曲部１１２の真下に位置している。従って、球導入路９０から非特定領域９２へ振分けられたパチンコ球は、非特定領域９２を移動する際に、右方へ移動した後に非特定屈曲部１１４により下方へ変向されるようになっている。すなわち、非特定領域９２は、球導入路９０を通過したパチンコ球が前記非特定屈曲部１１４を通過する際に変向することで、該パチンコ球を減速、減勢させ得る構造となっている。
【００４８】
(後本体部材１０１について)
前記後本体部材１０１は、図８および図９に示すように、後板部１１７と、該後板部１１７の右縁部から後方へ延出すると共に下方へ延出する側板部１１８とを備えている。後本体部材１０１は、透明な合成樹脂製の成形部材であり、前記球導入路９０、特定領域９１および非特定領域９２の後壁を構成する。そして、後本体部材１０１には、前記第２特別開閉部材６３を回転可能に支持する前記支持軸１１５(図８参照)が挿通する軸支持孔１１９が形成されている。更に、後本体部材１０１には、連係ピン１１６(図８参照)の挿通をする弧状貫通孔１２０が設けられている。この、弧状貫通孔１２０は、前記軸支持孔１１９を中心とする円弧に沿って湾曲している。
【００４９】
(開閉機構９３について)
前記開閉機構９３は、図８および図１０に示すように、前記第２特別開閉部材６３と、該第２特別開閉部材６３を姿勢変位させる前記第２特別入賞ソレノイド６４と、該第２特別入賞ソレノイド６４に連結された第１連係部材１２３と、該第１連係部材１２３に連係されると共に第２特別開閉部材６３に連係された第２連係部材１２４とを備えている。第２特別開閉部材６３は、第２特別入賞ソレノイド６４の非励磁時には図５に示す第１姿勢となり、該第２特別入賞ソレノイド６４の励磁に伴って図６に示す第２姿勢となり、第１姿勢および第２姿勢の間を姿勢変位する。そして、第２特別開閉部材６３の第１姿勢では前記第２特別入賞口６２が閉鎖し、該第２特別入賞口６２へのパチンコ球の入賞が規制され、該第２特別開閉部材６３の第２姿勢では第２特別入賞口６２が開放し、該第２特別入賞口６２へのパチンコ球の入賞が許容される。
【００５０】
(第２特別開閉部材６３について)
前記第２特別開閉部材６３は、図５、図８および図１０に示すように、湾曲した羽根状部材であって、長手の一方の端部側(固定端部)に設けた軸支孔６３ｃに前記支持軸１１５が嵌入することで、該支持軸１１５に回転可能に支持されている。この支持軸１１５は、スリーブを介して前記後本体部材１０１に設けられた前記軸支持孔１１９に支持されている。これにより第２特別開閉部材６３は、該後本体部材１０１の後板部１１７から前方へ延出した支持軸１１５を中心として他方の端部側(移動端部)が移動することで、該支持軸１１５から上方へ起立した前記第１姿勢および該支持軸１１５から左斜め上方に向くように倒れた第２姿勢の間を回転変位する。ここで、第２特別開閉部材６３は、前記第１姿勢において前記第２特別入賞口６２から遊技領域２４(第１遊技領域２４ａ)に向いた第１当受け面６３ａと、前記第２姿勢においてパチンコ球を前記球導入路９０へ案内する第２当受け面６３ｂとを備えている。すなわち第２特別開閉部材６３は、第１姿勢において、第１当受け面６３ａで第２特別入賞口６２を塞ぐことで、遊技領域２４を流下するパチンコ球が第２特別入賞口６２へ入賞することを規制し得るようになっている。一方、第２特別開閉部材６３は、第２姿勢において、第２特別入賞口６２を開放すると共に、第２当受け面６３ｂが第３導入壁部１０８ｃに連なるように延在することで、該第２当受け面６３ｂで当て受けたパチンコ球を球導入路９０内へ誘導し得るようになっている。
【００５１】
また、図５、図８および図１０に示すように、前記第２特別開閉部材６３には、該第２特別開閉部材６３と前記第２連係部材１２４とを連係する前記連係ピン１１６が連結されている。この連係ピン１１６は、第２特別開閉部材６３において、前記支持軸１１５による支持位置から移動端部側へ所要距離離間した位置に連結されている。また、第２特別開閉部材６３に連結した連係ピン１１６は、前記後本体部材１０１に形成された前記弧状貫通孔１２０に挿通されて後板部１１７の後側へ延出して、前記第２連係部材１２４に連結されている。
【００５２】
(第２特別入賞ソレノイド６４について)
前記第２特別入賞ソレノイド６４は、図８および図１０に示すように、鉄線を巻回して構成されたコイル１２６と、該コイル１２６の一方端部から延出したロッド１２７と、該ロッド１２７に配設された圧縮コイルバネ１２８とからなる。第２特別入賞ソレノイド６４は、図１３に示すように、前記メイン制御基板１７０のメイン制御ＣＰＵ１７０ａにより、コイル１２６が励磁、非励磁制御されてロッド１２７が進退移動する。すなわち、第２特別入賞ソレノイド６４は、コイル１２６の非励磁状態において、圧縮コイルバネ１２８の弾性力により、ロッド１２７がコイル１２６から延出した状態に保持される。一方、第２特別入賞ソレノイド６４は、コイル１２６に電流を印加して該コイル１２６が励磁した状態において、ロッド１２７がコイル１２６内へ引き込まれた状態に保持される。そして、第２特別入賞ソレノイド６４が非励磁状態(ロッド１２７がコイル１２６から延出した状態)では、前記第２特別開閉部材６３が前記第１姿勢となり、該第２特別入賞ソレノイド６４が励磁状態(ロッド１２７がコイル１２６に引き込まれた状態)では、該第２特別開閉部材６３が前記第２姿勢となる。このような第２特別入賞ソレノイド６４は、ロッド１２７を下向きとした姿勢で開閉ケース体１３０に収容され、後本体部材１０１の後板部１１７の後側に配設される。
【００５３】
(第１連係部材１２３について)
前記第１連係部材１２３は、図８および図１０に示すように、前記第２特別入賞ソレノイド６４のロッド１２７の先端に固定され、前記開閉ケース体１３０にスライド移動可能に配設される。第１連係部材１２３は、第２特別入賞ソレノイド６４のロッド１２７の先端に係止される基部１２３ａと、該基部１２３ａから下方へ延出した係止部１２３ｂとから構成され、側面視において略「Ｌ」形を呈している。前記係止部１２３ｂには、前記第２連係部材１２４に設けられた係止受部１２４ｂ(図８参照)下方から当接する第１係止部１２３ｃと、該係止受部１２４ｂに上方から当接する第２係止部１２３ｄとを備えている。第１係止部１２３ｃは、第２特別入賞ソレノイド６４が励磁することでロッド１２７が上方へ移動して第１連係部材１２３が上方へ移動する際に、第２連係部材１２４の係止受部１２４ｂに下方から当接して、該第２連係部材１２４を姿勢変位させる。また、第２係止部１２３ｄは、第２特別入賞ソレノイド６４が励磁状態から非励磁状態となることでロッド１２７が下方へ移動して第１連係部材１２３が下方へ移動する際に、第２連係部材１２４の係止受部１２４ｂに上方から当接して、該第２連係部材１２４を姿勢変位させる。
【００５４】
(第２連係部材１２４について)
前記第２連係部材１２４は、図８および図１０に示すように、レバー状の部材であって、長手の一方の端部側(固定端部)に形成された軸支孔１２４ａに貫通した支持ピン１２５に対して回転可能に支持されている。この支持ピン１２５は、その前端部および後端部が、前記開閉ケース体１３０に支持されている。これにより第２特別開閉部材６３は、支持ピン１２５を中心として他方の端部側(移動端部)が移動することで、第１姿勢および第２姿勢の間を回転変位する。また、第２連係部材１２４には、該第２連係部材１２４と前記第２特別開閉部材６３とを連係する前記連係ピン１１６が連結されている。この連係ピン１１６は、第２連係部材１２４において、前記支持ピン１２５による支持位置から移動端部側へ所要距離離間した位置に形成した連係孔１２４ｃに係合している。従って、第２連係部材１２４が支持ピン１２５を中心として第１姿勢および第２姿勢の間を回転変位することで、連係ピン１１６により連結された第２特別開閉部材６３が、前記第１姿勢および第２姿勢の間を回転変位するようになっている。なお、連係ピン１１６は、第２連係部材１２４が回転変位に伴い、前記弧状貫通孔１２０に貫通した状態で、該弧状貫通孔１２０に沿って円弧上に移動する。
【００５５】
(開閉ケース体１３０について)
図８および図１０に示すように、前記開閉機構９３を構成する前記第２特別入賞ソレノイド６４、第１連係部材１２３および第２連係部材１２４は、開閉ケース体１３０に収容されている。この開閉ケース体１３０は、前記後本体部材１０１に支持される第１開閉ケース部材１３１と、該第１開閉ケース部材１３１に後側から組み付けられる第２開閉ケース部材１３２とからなり、第１開閉ケース部材１３１および第２開閉ケース部材１３２を組み付けることで内部に空間が画成される。開閉ケース体１３０は、第２特別入賞ソレノイド６４を配設する第１配設部１３３と、第１連係部材１２３をスライド移動可能に配設する第２配設部１３４と、第２連係部材１２４を回転可能に配設される第３配設部１３５とを備えている。なお、第２配設部１３４には、前記ロッド１２７の移動方向に沿って延在するガイド溝１３４ａが形成されていると共に、第１連係部材１２３には、該ガイド溝１３４ａに係合するガイド片１２３ｅが形成されている。これにより、ロッド１２７の移動に伴って、ガイド片１２３ｅがガイド溝１３４ａに沿って移動することで、スライド移動する第１連係部材１２３の姿勢が保持されるようになっている。
【００５６】
前述のように構成された開閉機構９３は、前記第２特別入賞ソレノイド６４が非励磁状態では、前記圧縮コイルバネ１２８の弾性力により前記ロッド１２７が下方へ延出した状態に保持されることで、図５に示すように、第１連係部材１２３および第２連係部材１２４を介して前記第２特別開閉部材６３が前記第１姿勢に保持される。従って、第２特別開閉部材６３が第２特別入賞口６２を閉鎖して、該第２特別入賞口６２から球導入路９０へのパチンコ球の入賞が規制される。一方、前記第２特別入賞ソレノイド６４が励磁状態では、前記ロッド１２７が上方へ移動してコイル１２６内へ引き込まれた状態となることで、図６に示すように、第１連係部材１２３および第２連係部材１２４の姿勢変位に伴って前記第２特別開閉部材６３が前記第２姿勢に変位して保持される。従って、第２特別開閉部材６３が第２特別入賞口６２を開放して、該第２特別入賞口６２から球導入路９０へのパチンコ球の入賞が許容される。
【００５７】
(振分け機構９４について)
前記振分け機構９４は、図８および図１１に示すように、前記シャッタ９５と、該シャッタ９５を姿勢変位させる振分けソレノイド１４０と、該振分けソレノイド１４０に連結された第３連係部材１４１と、該第３連係部材１４１に連係されると共にシャッタ９５に連係された第４連係部材１４２とを備えている。シャッタ９５は、振分けソレノイド１４０の非励磁時には図７(ａ)に示す第１振分け姿勢となり、該振分けソレノイド１４０の励磁に伴って図７(ｂ)に示す第２振分け姿勢となり、第１振分け姿勢および第２振分け姿勢の間を姿勢変位する。そして、シャッタ９５の第１振分け姿勢では、前記特定領域９１へのパチンコ球の移動を規制すると共に、前記非特定領域９２へのパチンコ球の移動を許容する。一方、シャッタ９５の第２振分け姿勢では、前記特定領域９１へのパチンコ球の移動を許容する。
【００５８】
(シャッタ９５について)
前記シャッタ９５は、図８および図１１に示すように、球受け部１４４と、該球受け部１４４を前部に設けたシャッタ本体部１４５と、該シャッタ本体部１４５の後部に設けた検出片１４６とを備えている。シャッタ９５は、振分け機構９４を収容する振分けケース体１５５に、前後にスライド移動が可能に配設されている。前記球受け部１４４は、シャッタ本体部１４５の前部から前方へ延出した平面視で矩形状の舌片状部であり、前側から見て右下がりに傾斜している(図５参照)。すなわち、球受け部１４４は、その上面に落下したパチンコ球を右方へ変向させるように機能する。換言すると、球受け部１４４は、前記球導入路９０を流下したパチンコ球が上方から衝突した際に、該パチンコ球が前記特定領域９１へ移動するのを規制すると共に、該パチンコ球を前記非特定領域９２に向けて誘導する。
【００５９】
また、図７(ｂ)に示すように、前記シャッタ９５の球受け部１４４は、前記第１振分け姿勢において、前記後板部１１７の前面から前方への延出した長さを、該後板部１１７と前板部１０２との前後間隔よりも短くしてある。すなわち、シャッタ９５の第１振分け姿勢となった場合には、球受け部１４４の前端と前板部１０２の後面との間に隙間が形成される。但し、シャッタ９５の第１振分け姿勢において、球受け部１４４の前端と前板部１０２の後面との間に形成される隙間の前後幅はパチンコ球の直径よりも小さく、該シャッタ９５が第１振分け姿勢となることで、パチンコ球が前記特定領域９１へ移動することを規制する。なお実施例では、前記隙間の前後幅を、パチンコ球の直径の１／４程度に設定してあるが、該隙間の前後幅は、パチンコ球の直径より小さければ様々に設定可能である。このように、球受け部１４４の延出長さを短くすることで、シャッタ９５が第１振分け姿勢から第２振分け姿勢へ姿勢変位するのに要する時間を、姿勢変位速度を変えずに短くすることが可能である。
【００６０】
更に、図１１に示すように、前記シャッタ９５の球受け部１４４は、上下の厚みが、シャッタ本体部１４５に連なる基端よりも延出端(前端)のほうが薄くなっている。具体的には、球受け部１４４は、その上面が、前後略中間部から前側部分が前下がりに傾斜しており、これにより基端よりも延出端が薄くなっている。このように球受け部１４４の延出端が薄くなっていることで、例えばシャッタ９５が第２振分け姿勢から第１振分け姿勢に姿勢変位する際に、球受け部１４４の先端と前記前板部１０２の後面との間にパチンコ球が挟み込まれることが防止され、該シャッタ９５の姿勢変位が規制されて振分けソレノイド１４０や各連係部材１４１,１４２の破損や故障が発生することを防止する。
【００６１】
前記シャッタ本体部１４５は、図７および図８に示すように、前記第４連係部材１４２と係合する係合孔１４５ａが設けられている。これにより、第４連係部材１４２が姿勢変位することに伴い、該第４連係部材１４２に連係したシャッタ９５が、前記第１振分け姿勢および第２振分け姿勢の間を姿勢変位する。また、前記検出片１４６は、シャッタ９５が前記第２振分け姿勢となった際に、前記振分けケース体１５５に配設した位置検出センサ１４７(図１１参照)により検出されるように形成されている。
【００６２】
(振分けソレノイド１４０について)
前記振分けソレノイド１４０は、図８および図１１に示すように、鉄線を巻回して構成したコイル１５０と、該コイル１５０の一方端部から延出したロッド１５１と、該ロッド１５１に配設された圧縮コイルバネ１５２とからなる。振分けソレノイド１４０は、図１３に示すように、前記メイン制御基板１７０のメイン制御ＣＰＵ１７０ａにより励磁、非励磁制御される。振分けソレノイド１４０は、コイル１５０の非励磁状態において、圧縮コイルバネ１５２の弾性力により、ロッド１５１がコイル１５０から延出した状態に保持される。一方、振分けソレノイド１４０は、コイル１５０に電流を印加して該コイル１５０が励磁した状態において、ロッド１５１がコイル１５０内へ引き込まれた状態に保持される。そして、振分けソレノイド１４０が非励磁状態(ロッド１５１がコイル１５０から延出した状態)では、前記シャッタ９５が前記第１振分け姿勢となり、該振分けソレノイド１４０が励磁状態(ロッド１５１がコイル１５０に引き込まれた状態)では、該シャッタ９５が前記第２振分け姿勢となる。このような振分けソレノイド１４０は、ロッド１５１を横向きとした姿勢で前記振分けケース体１５５に収容され、後本体部材１０１の後板部１１７の後側に配設される。
【００６３】
(第３連係部材１４１について)
前記第３連係部材１４１は、図８および図１１に示すように、前記振分けソレノイド１４０のロッド１５１の先端に固定され、前記振分けケース体１５５内にスライド移動可能に配設される。第３連係部材１４１は、振分けソレノイド１４０のロッド１５１の先端に係止される基部１４１ａと、該基部１４１ａから横方向へ延出した係合部１４１ｂとから構成され、正面視において略「Ｌ」形を呈している。前記係合部１４１ｂには、前記第４連係部材１４２に設けられた第１係合凸部１４２ｂ(図１１参照)に係合する係合凹部１４１ｃが設けられている。この係合凹部１４１ｃは、振分けソレノイド１４０の励磁、非励磁に伴うロッド１５１の進退移動に伴い、第３連係部材１４１がスライド移動することで左右方向へ移動する。
【００６４】
(第４連係部材１４２について)
前記第４連係部材１４２は、図８および図１１に示すように、レバー状の部材であって、上下方向に軸心が向いた状態で振分けケース体１５５に支持された支軸１５４に回転自在に支持されている。第４連係部材１４２は、前記支軸１５４が挿通する支持孔１４２ａに対して前記第３連係部材１４１の係合部１４１ｂ側に位置する第１係合凸部１４２ｂと、該支持孔１４２ａに対して前記シャッタ９５のシャッタ本体部１４５側に位置する第２係合凸部１４２ｃとを備えている。そして、振分けソレノイド１４０のロッド１５１に進退に伴って第３連係部材１４１が左右方向へスライド移動することで、第１係合凸部１４２ｂが左右方向へ円弧状に移動し、これにより当該第４連係部材１４２が支軸１５４を中心として回転変位する。一方、第４連係部材１４２の回転変位に伴って前記第２係合凸部１４２ｃが前後方向へ円弧状に移動する。
【００６５】
(振分けケース体１５５について)
図８および図１１に示すように、前記振分け機構９４を構成する前記振分けソレノイド１４０、第３連係部材１４１および第４連係部材１４２は、振分けケース体１５５に収容されている。この振分けケース体１５５は、第１振分けケース部材１５６と、該第１振分けケース部材１５６に上側から組み付けられる第２振分けケース部材１５７とからなり、第１振分けケース部材１５６および第２振分けケース部材１５７を組み付けることで内部に空間が画成される。振分けケース体１５５は、振分けソレノイド１４０を配設する第４配設部１５８と、第３連係部材１４１をスライド移動可能に配設する第５配設部１５９と、第４連係部材１４２が回転可能に配設される第６配設部１６０と、シャッタ９５が配設される第７配設部１６１とを備えている。なお、第５配設部１５９には、前記ロッド１５１の移動方向に沿って延在するガイド溝１５９ａが形成されていると共に、第３連係部材１４１には、該ガイド溝１５９ａに係合するガイド片１４１ｃが形成されている。これにより、ロッド１５１の移動に伴って、ガイド片１４１ｃがガイド溝１５９ａに沿って移動することで、スライド移動する第３連係部材１４１の姿勢が安定する。また、第７配設部１６１には、前記シャッタ９５の移動方向に沿って延在するガイド溝１６１ａ,１６１ａが形成されていると共に、該シャッタ９５のシャッタ本体部１４５には、夫々のガイド溝１６１ａ,１６１ａに係合するガイド片１４５ｂ,１４５ｂが形成されている。これにより、ロッド１５１の移動に伴って、ガイド片１４５ｂがガイド溝１６１ａに沿って移動することで、スライド移動するシャッタ９５の姿勢が安定する。
【００６６】
そして、前記振分け機構９４は、前記振分けソレノイド１４０とシャッタ９５とが、上下方向で隣接して第２装置本体６１に配設されている。しかも、振分けソレノイド１４０は、ロッドが左右方向に往復移動する向きに配設され、シャッタ９５は、球受け部１４４が前後方向に往復移動するように配設されている。これにより、第２特別入賞装置６０の振分け機構９４は、左右寸法および前後寸法が抑えたコンパクトに構成されており、第２装置本体６１の左右寸法や前後寸法が大きくなることが防止される。
【００６７】
前述のように構成された振分け機構９４は、前記振分けソレノイド１４０が非励磁状態では、前記圧縮コイルバネ１５２の弾性力により前記ロッド１５１が横方へ延出した状態に保持されることで、図７(ａ)に示すように、第３連係部材１４１および第４連係部材１４２を介して前記シャッタ９５が前記第１振分け姿勢に保持される。従って、シャッタ９５の球受け部１４４が特定領域９１の上開口を閉成し、球導入路９０から特定領域９１へのパチンコ球の入賞が規制され、該パチンコ球が非特定領域９２へ誘導される。一方、前記振分けソレノイド１４０が励磁すると、前記ロッド１５１がコイル１５０内へ引き込まれた状態となることで、図７(ｂ)に示すように、第３連係部材１４１および第４連係部材１４２の姿勢変位に伴って前記シャッタ９５が前記第２振分け姿勢に変位して保持される。従って、シャッタ９５の球受け部１４４が特定領域９１の上開口から退避して該上開口を開放し、球導入路９０から特定領域９１へパチンコ球が誘導される。
【００６８】
(第１センサ設置部１０６について)
図５および図８に示すように、前記第２特別入賞検出センサ６５を設置する前記第１センサ設置部１０６は、前記球導入路９０において、前記第２導入屈曲部１１２よりも第２特別入賞口６２側(上流側)に設けられている。そして、第１センサ設置部１０６に配設された第２特別入賞検出センサ６５は、パチンコ球が通過する検出孔６５ａが上下に開口している。これにより、第２特別入賞口６２から導入されたパチンコ球が検出孔６５ａを通過する際に、該検出孔６５ａの内壁面に該パチンコ球が適宜接触するので、当該パチンコ球の移動速度が遅くなる。従って、第２特別入賞検出センサ６５は、検出孔６５ａを通過するパチンコ球の移動速度を減速させ得るので、減速手段としての機能を有している。そして、第２特別入賞検出センサ６５は、前記メイン制御ＣＰＵ１７０ａに電気的に接続されており(図１３参照)、パチンコ球の検出信号を該メイン制御ＣＰＵ１７０ａに出力する。
【００６９】
(第２センサ設置部１０７について)
図５および図８に示すように、前記特定入賞検出センサ６６を設置する前記第２センサ設置部１０７は、前記特定領域９１の中途部分に設けられている。そして、第２センサ設置部１０７に配設された特定入賞検出センサ６６は、パチンコ球が通過する検出孔６６ａが上下方向に開口すると共に、センサケースの長手が前後方向に向いている。これにより、特定領域９１へ導入されたパチンコ球が検出孔６６ａを通過する際に、該検出孔６６ａの内壁面にパチンコ球が適宜接触するので、当該パチンコ球の移動速度が遅くなる。従って、特定入賞検出センサ６６は、検出孔６６ａを通過するパチンコ球の移動速度を減速させ得るので、減速手段としての機能を有している。そして、特定入賞検出センサ６６は、前記メイン制御ＣＰＵ１７０ａに電気的に接続されており(図１３参照)、パチンコ球の検出信号を該メイン制御ＣＰＵ１７０ａに出力する。
【００７０】
(第２特別入賞装置６０の作動について)
図１２は、前記メイン制御ＣＰＵ１７０ａの制御に基づく実施例の第２特別入賞装置６０の作動態様の一例を示している。第２特別入賞装置６０における前記第２特別開閉部材６３の第１姿勢および第２姿勢の間の姿勢変位は、前記第２特別入賞ソレノイド６４をメイン制御ＣＰＵ１７０ａで制御することで実行される。また、前記シャッタ９５の第１振分け姿勢および第２振分け姿勢の間の姿勢変位は、前記振分けソレノイド１４０を該メイン制御ＣＰＵ１７０ａで制御することで実行される。そして、図１４に示すように、メイン制御ＣＰＵ１７０ａの大当り判定において所定の大当り遊技が生起した場合に、当該大当り遊技の規定回数のラウンド演出における第４回目の第４ラウンド遊技において、メイン制御ＣＰＵ１７０ａにより、第２特別入賞装置６０が作動制御される。なお、大当り遊技において、第２特別入賞装置６０が作動制御されないラウンド(第４ラウンド以外)においては、前記第１特別入賞装置５０が作動制御されるようになっている。すなわち、大当り遊技の各ラウンド遊技では、第１特別入賞装置５０または第２特別入賞装置６０の何れか一方だけが作動制御される。
【００７１】
ここで、前記メイン制御ＣＰＵ１７０ａは、第２特別入賞装置６０が作動制御されるラウンド遊技において、当該ラウンドの開始から終了までの間(第２特別入賞口６２に規定個数(例えば９個)のパチンコ球が入賞するか、あるいはラウンド遊技時間が経過するまで)、第２特別入賞ソレノイド６４をＯＮ状態に維持する。これにより、第２特別入賞ソレノイド６４が当該ラウンド遊技の開始から終了までの間に亘り励磁されるので、第２特別開閉部材６３が当該ラウンド遊技中は前記第２姿勢に保持され、多数のパチンコ球が開放した第２特別入賞口６２から入賞可能となる。
【００７２】
一方、図１２に示すように、前記メイン制御ＣＰＵ１７０ａは、前記第４ラウンド遊技において、前記第２特別入賞ソレノイド６４の作動により開放した第２特別入賞口６２に前述した規定個数(９個)のパチンコ球の入賞が可能な時間に設定されたラウンド遊技時間Ｔ１および該ラウンド遊技時間Ｔ１が経過してから所定のインターバル時間Ｔ２が経過するまでの間に、前記特定入賞検出センサ６６からの検出信号が入力されない場合に、前記振分けソレノイド１４０をＯＦＦ状態に制御するようになっている(２点鎖線で表示)。ここで、前記インターバル時間Ｔ２は、前記第２特別入賞口６２に入賞したパチンコ球が、球導入路９０を移動して特定領域９１と非特定領域９２の分岐部(前記シャッタ９５の球受け部１４４の配設位置)に到来するのに要する時間より長く設定された時間である。すなわち、前記インターバル時間Ｔ２が設定されていることで、前記ラウンド遊技時間Ｔ１の経過に伴って前記第２特別開閉部材６３が開放位置から閉鎖位置に向けて姿勢変位するタイミングで前記第２特別入賞口６２に入賞したパチンコ球が発生した場合に、当該パチンコ球が、シャッタ９５が第２振分け姿勢にあるタイミングで特定領域９１と非特定領域９２の分岐部に到来して該特定領域９１へ移動することを可能にする。従って、ラウンド遊技の開始から、前記ラウンド遊技時間Ｔ１およびインターバル時間Ｔ２を合計した時間(Ｔ１＋Ｔ２)が、振分け手段である前記振分けソレノイド１４０を作動制御する期間である。また、特定入賞検出センサ６６からの球検出信号は、ラウンド遊技の開始から、前記ラウンド遊技時間Ｔ１およびインターバル時間Ｔ２が経過して更に前記残存球処理時間Ｔ３が経過するまでの間において有効になるよう構成されている。この残存球処理時間Ｔ３が設定されていることで、前記ラウンド遊技時間Ｔ１の経過に伴って前記第２特別開閉部材６３が第２姿勢から第１姿勢に向けて姿勢変位するタイミングで前記第２特別入賞口６２に入賞したパチンコ球が特定領域９１に移動した際に、該パチンコ球を特定入賞検出センサ６６で確実に検知することができる。なお、実施例では、例えば前記ラウンド遊技時間Ｔ１が２５０００ｍｓ程度に設定され、前記インターバル時間Ｔ２が２０００ｍｓに設定され、前記残存球処理時間Ｔ３が２０００ｍｓに設定されている。
【００７３】
また、図１２に示すように、実施例では、前記第１大当り遊技および第２大当り遊技における第４ラウンド遊技の開始により第２特別入賞装置６０が作動開始して、第２特別入賞ソレノイド６４のＯＮ制御が開始すると、前記振分けソレノイド１４０がＯＮ制御されるようになっており、第２特別入賞ソレノイド６４のＯＮ制御開始が、シャッタ９５が第１振分け姿勢から第２振分け姿勢へ姿勢変位する開放作動条件となっている。また、シャッタ９５が第２振分け姿勢に保持されている状態において、パチンコ球を検出した第２特別入賞検出センサ６５からの球検出信号がメイン制御ＣＰＵ１７０ａに入力されると、前記振分けソレノイド１４０がＯＦＦ制御されるようになっており、第２特別入賞センサ６５の遊技球検知が、シャッタ９５が第２振分け姿勢から第１振分け姿勢へ姿勢変位する閉鎖作動条件(特定の作動条件)となっている。これにより、前記第２特別入賞ソレノイド６４がＯＮ状態に制御されて前記第２特別開閉部材６３が第２姿勢に保持されている間の適時に、開放した前記第２特別入賞口６２から入賞したパチンコ球が前記第２特別入賞検出センサ６５で検出されて、該第２特別入賞検出センサ６５からの球検出信号がメイン制御ＣＰＵ１７０ａに入力された場合は、該メイン制御ＣＰＵ１７０ａは、前記振分けソレノイド１４０をＯＮ状態からＯＦＦ状態に制御する(図１２に実線で表示)。すなわち、前記第２特別入賞口６２から入賞したパチンコ球が、前記球導入路９０から前記特定領域９１へ移動しないことで第２特別入賞検出センサ６５が球検出信号を出力しない場合(特定の作動条件が成立しない場合)は、前記シャッタ９５が前記第２振分け姿勢に継続して保持される。これにより、第２特別入賞口６２に入賞したパチンコ球は、前記特定領域９１へ移動することが許容されて該特定領域９１へ移動する。一方、前記第２特別入賞口６２から入賞したパチンコ球が、前記球導入路９０から前記特定領域９１へ移動して第２特別入賞検出センサ６５が球検出信号を出力した場合(特定の作動条件が成立した場合)には、前記シャッタ９５が前記第１振分け姿勢に姿勢変位する。これにより、シャッタ９５が第１振分け姿勢に姿勢変位した以降に該シャッタ９５に到来したパチンコ球は、その全てが前記非特定領域９２へ移動する。
【００７４】
そして、実施例の第２特別入賞装置６０は、前記球導入路９０の球流出部から真下に前記特定領域９１が設けられた構造である。このため、ラウンド遊技が開始されて、前記第２特別入賞ソレノイド６４がＯＮ状態に制御されて前記第２特別開閉部材６３が第２姿勢に姿勢変位すると共に、振分けソレノイド１４０がＯＮ状態に制御されて前記シャッタ９５が第２振分け姿勢に姿勢変位すると、第２特別入賞口６２に入賞したパチンコ球は、球導入路９０から特定領域９１へ移動し易い。このため、第４ラウンド遊技が開始されると、第２特別入賞口６２に入賞したパチンコ球が特定領域９１に移動して前記特定入賞検出センサ６６で検出され易くなる。そして、該特定入賞検出センサ６６がパチンコ球を検出したことを契機として振分けソレノイド１４０がＯＦＦ状態に制御され、前記シャッタ９５が前記第２振分け姿勢から第１振分け姿勢へ姿勢変位する。これにより、シャッタ９５が第１振分け姿勢へ姿勢変位するタイミングで第２特別入賞口６２に入賞したパチンコ球および該シャッタ９５が第１振分け姿勢へ姿勢変位した後に該第２特別入賞口６２に入賞したパチンコ球は、第１振分け姿勢に保持されている当該シャッタ９５により、前記特定領域９１への移動が規制されて前記非特定領域９２へ移動するようになる。ここで、実施例では、前述したように、ラウンド遊技において第２特別入賞口６２に入賞可能なパチンコ球の規定個数を９個に設定してあることで、１個のパチンコ球が特定領域９１へ移動した場合に、該特定領域９１へ移動した当該パチンコ球を除く最大８個のパチンコ球は非特定領域９２へ移動するようになる。すなわち、第２特別入賞装置６０は、前記第２特別入賞口６２から規定個数のパチンコ球が入賞した場合に、特定領域９１へ振分けられるパチンコ球および非特定領域９２へ振分けられるパチンコ球の割合を異ならせてある。そして、実施例では、前記シャッタ９５の姿勢変位に基づき、前記特定領域９１へ振分けられるパチンコ球よりも、前記非特定領域９２へ振分けられるパチンコ球の割合が高くなっている。
【００７５】
そして、実施例の第２特別入賞装置６０は、前記特定領域９１および非特定領域９２のうちパチンコ球が多く振分けられる領域に、他方の領域よりも、パチンコ球の移動方向を変向する屈曲部が多く設けられている。実施例の第２特別入賞装置６０は、前述したように、前記シャッタ９５を姿勢変位させる振分けソレノイド１４０を作動制御する期間において、前記特定領域９１よりも非特定領域９２の方がパチンコ球が多く振分けられるよう構成されている。すなわち、球導入路９０から振分けられるパチンコ球が多い非特定領域９２に、パチンコ球の移動方向を変向する非特定屈曲部１１４が設けられ、該非特定領域９２よりも振分けられるパチンコ球が少ない特定領域９１には、パチンコ球の移動方向を変向する屈曲部が設けられていない。従って、非特定領域９２へ振分けられたパチンコ球は、非特定屈曲部１１４を通過する際に減速、減勢される。これにより、特定領域９１よりも振分けられるパチンコ球が多い非特定領域９２では、該非特定領域９２を画成する非特定壁部１１０、前板部１０２および後板部１１７へのパチンコ球の衝突頻度が高いとしても、当該パチンコ球の移動速度や勢いが減速、減勢されているので、非特定壁部１１０、前板部１０２および後板部１１７への衝撃が緩和される。従って、非特定領域９２へ振分けられるパチンコ球が多くても、該パチンコ球の衝突による非特定壁部１１０、前板部１０２および後板部１１７の摩損や破損を抑制し得る。
【００７６】
また、実施例の第２特別入賞装置６０は、図５および図６に示すように、前記球導入路９０に、パチンコ球の移動方向を変向する第１〜第３の３つの導入屈曲部１１１,１１２,１１３が設けられているので、パチンコ球の移動速度や勢いが各導入屈曲部１１１,１１２,１１３を通過する際に順次減速、減勢される。これにより、球導入路９０を画成する導入壁部１０８、前板部１０２および後板部１１７へのパチンコ球の衝突頻度が高いが、当該パチンコ球の移動速度や勢いが各導入屈曲部１１１,１１２,１１３により減速、減勢されているので、導入壁部１０８、前板部１０２および後板部１１７への衝撃が緩和される。これにより、球導入路９０を移動するパチンコ球の衝突による導入壁部１０８、前板部１０２および後板部１１７の摩損や破損を抑制し得る。また、パチンコ球がシャッタ９５の球受け部１４４に衝突する際の衝撃も緩和されるので、該シャッタ９５の破損や振分け機構９４の故障も抑制し得る。
【００７７】
また、球導入路９０を移動するパチンコ球は、各導入屈曲部１１１,１１２,１１３を通過することで順次減速、減勢されるので、第２特別入賞口６２からシャッタ９５に到来するまで時間がかかるようになっている。更に、球導入路９０を移動するパチンコ球は、前記第２特別入賞検出センサ６５の検出孔６５ａを通過する際にも減速、減勢される。
【００７８】
(メイン制御基板１７０について)
実施例のパチンコ機１０の遊技を総合的に制御する前記メイン制御基板１７０を収容したメイン制御基板ケースは、前記図柄表示装置８０の下方において、前記設置部材７５の設置壁部７６に取り付けられる。メイン制御基板１７０は、図１３に示すように、制御動作を所定の手順で実行することができるメイン制御ＣＰＵ１７０ａと、メイン制御ＣＰＵ１７０ａの制御プログラムを格納するメイン制御ＲＯＭ１７０ｂと、必要なデータの書き込みおよび読み出しができるメイン制御ＲＡＭ１７０ｃを備えている。メイン制御基板１７０は、大当り判定用乱数、大当り図柄用乱数、変動パターン振分用乱数、普図当り判定用乱数等の各種乱数の値を所定の周期毎に更新し、更新後の値をメイン制御ＲＡＭ１７０ｃの設定領域に記憶(設定)することで更新前の値を書き換えており、乱数更新処理(乱数生成処理)を実行するようになっている。例えば、メイン制御基板１７０では、前記第１始動入賞検出センサ３３または第２始動入賞検出センサ３４から検出信号が入力されると、メイン制御ＣＰＵ１７０ａがメイン制御ＲＯＭ１７０ｂから大当り判定用乱数を取得し、この大当り判定用乱数とメイン制御ＲＯＭ１７０ｂに記憶されている大当り判定値とを比較し、大当りとするか否かの大当り判定(大当り抽選)を行う。またメイン制御基板１７０では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵ１７０ａがメイン制御ＲＯＭ１７０ｂから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、メイン制御基板１７０の大当り判定の結果に応じて該メイン制御基板１７０から演出制御基板１７５へ制御信号が出力され、演出制御基板１７５から出力される演出用の制御信号に基づいて、表示制御基板１８０が図柄表示装置８０に所定の演出表示を行わせると共に、図示しない球払出装置によって所定数の賞球が上球受け皿１４へ払い出される。
【００７９】
(演出制御基板１７５について)
前記演出制御基板１７５には、図１３に示すように、演出制御ＣＰＵ１７５ａが備えられると共に、該演出制御ＣＰＵ１７５ａには、演出制御ＲＯＭ１７５ｂおよび演出制御ＲＡＭ１７５ｃが接続されている。また、演出制御ＣＰＵ１７５ａは、実行可否判定用乱数や動作演出パターン抽選用乱数等の各種乱数の値を所定の周期毎に更新し、更新後の値を演出制御ＲＡＭ１７５ｃの設定領域に記憶(設定)して更新前の値を書き換えている。更に、演出制御ＲＯＭ１７５ｂには、図柄表示装置８０の表示部８１における演出内容を制御する表示制御基板１８０(図１３参照)、前記ランプ装置２８等を制御するランプ制御基板１８２(図１３参照)を演出的に制御するプログラムや、前記スピーカ２９を制御する音制御基板１８４(図１３参照)等を演出的に制御するプログラムや、前記可動演出装置８５およびその他の演出装置を作動制御するプログラム等が記憶されている。演出制御ＣＰＵ１７５ａは、各種制御コマンドを入力すると、演出制御プログラムに基づき各種制御を実行する。例えば、演出制御基板１７５では、メイン制御基板１７０のメイン制御ＣＰＵ１７０ａから変動パターン指定コマンドが入力されると、演出制御ＣＰＵ１７５ａが演出制御ＲＯＭ１７５ｂから実行可否判定用乱数を取得し、この実行可否判定用乱数と演出制御ＲＯＭ１７５ｂに記憶されている実行可否判定値とを比較し、可動演出装置８５の可動体演出を実行するか否かの実行可否判定を行う。そして、演出制御基板１７５は、実行可否判定の結果が肯定の場合において可動演出装置８５を動作させる。
【００８０】
〔実施例の作用〕
次に、前述した実施例に係るパチンコ機１０の作用につき説明する。
【００８１】
(第２特別入賞装置６０の作動について)
当選した前記各大当り遊技における規定回数のラウンド遊技において、前記第２特別入賞装置６０が作動する第４ラウンド遊技では、図１２に示すように、メイン制御ＣＰＵ１７０ａの制御により、第２特別入賞ソレノイド６４が当該第４ラウンド遊技の開始から終了までＯＮ状態に制御され、第２特別開閉部材６３が、当該第４ラウンド遊技の実行中において第２姿勢に保持される。これにより、第２特別入賞口６２が開放され、遊技領域２４の第１遊技領域２４ａからパチンコ球が入賞可能となる。また、図１２に示すように、メイン制御ＣＰＵ１７０ａの制御により、前記第２特別入賞ソレノイド６４の作動開始と同時に、前記振分けソレノイド１４０がＯＮ状態に制御されて、前記シャッタ９５が、第１振分け姿勢から第２振分け姿勢へ姿勢変位して該第２振分け姿勢に姿勢保持される。更に、メイン制御ＣＰＵ１７０ａの制御により、第２特別入賞ソレノイド６４の作動開始と同時に、前記特定入賞検出センサ６６が検出有効状態となる。なお、図１２に示すように、第４ラウンド遊技において、前記ラウンド遊技時間Ｔ１およびインターバル時間Ｔ２が経過するまでの間(作動制御の期間)において、前記特定入賞検出センサ６５からの検出信号が前記メイン制御ＣＰＵ１７０ａに送信されない場合(作動条件が成立しない場合)は、前記振分けソレノイド１４０はＯＮ状態に継続して制御され、前記シャッタ９５は第２振分け姿勢に保持される。そして、前記ラウンド遊技時間Ｔ１およびインターバル時間Ｔ２が経過した時点(作動制御の期間が終了した時点)において前記特定入賞検出センサ６５からの検出信号が前記メイン制御ＣＰＵ１７０ａに送信されなかった場合(作動条件が成立しなかった場合)は、メイン制御ＣＰＵ１７０ａは前記振分けソレノイド１４０をＯＦＦ状態に制御し、これにより前記シャッタ９５が第２振分け姿勢から第１振分け姿勢へ姿勢変位する。
【００８２】
前記第２特別入賞装置６０の作動開始すると、前記操作ハンドル１６の操作レバーを回転操作に基づいて打球発射装置によるパチンコ球の打出し力を調整し、前記遊技領域２４に打ち出されたパチンコ球が第１遊技領域２４ａを流下するようにする。これにより、第１遊技領域２４ａを流下するパチンコ球の一部は、枠状装飾体４０の左側部に沿って流下する際に、第２姿勢に保持されている前記第２特別開閉部材６３の第２当受け面６３ｂで受け止められて、第２特別入賞口６２を介して球導入路９０内へ誘導される。
【００８３】
前記第２特別入賞口６２に入賞して球導入路９０を移動したパチンコ球がシャッタ９５の上方に到来したタイミングにおいて、該シャッタ９５が図７(ａ)に示す第２振分け姿勢となっていた場合には、図５に示すように、該パチンコ球が、シャッタ９５の球受け部１４４に当受けられることなく特定領域９１へ移動する。そして、特定領域９１へ振分けられたパチンコ球は、前記特定入賞検出センサ６６の検出孔６６ａを通過する際に適宜減速、減勢された後、第２特別入賞装置６０から遊技盤２０の後側へ排出される。そして、特定入賞検出センサ６６による球検出信号がメイン制御ＣＰＵ１７０ａに入力されることで前記振分けソレノイド１４０の作動条件が成立し、該メイン制御ＣＰＵ１７０ａが前記振分けソレノイド１４０をＯＦＦ状態に制御し、これにより前記シャッタ９５は前記第２振分け姿勢から第１振分け姿勢へ姿勢変位する(図１２参照)。また、特定入賞検出センサ６６による球検出信号がメイン制御ＣＰＵ１７０ａに入力されることにより、前述したように、当該大当り遊技の終了後に、特定遊技状態である「確変状態」が付与される条件が成立する。
【００８４】
一方、第２特別入賞口６２に入賞して球導入路９０を移動したパチンコ球がシャッタ９５の上方に到来したタイミングにおいて、該シャッタ９５が図７(ｂ)に示す第１振分け姿勢となっていた場合には、図６に示すように、該パチンコ球が、シャッタ９５の球受け部１４４に当受けられて非特定領域９２に向けて移動する。そして、非特定領域９２へ振分けられたパチンコ球は、非特定屈曲部１１４を通過する際に変向することで減速、減勢された状態で下方へ移動し、第２特別入賞装置６０から遊技盤２０の後側へ排出される。
【００８５】
このように、実施例の第２特別入賞装置６０は、第４ラウンド遊技の開始と同時に前記シャッタ９５が前記第２振分け姿勢に姿勢変位するので、第２特別入賞口６２から最初に入賞して球導入路９０を通過したパチンコ球は、前記特定領域９１へ振分けられるようになる。そして、特定領域９１に振分けられたパチンコ球が前記特定入賞検出センサ６６で検出されて検出信号がメイン制御ＣＰＵ１７０ａに送信されることで、前記振分けソレノイド１４０の作動条件が成立して該振分けソレノイド１４０がＯＦＦ状態に制御され、前記シャッタ９５が前記第１振分け姿勢に姿勢変位する。そして、作動条件の成立により、振分けソレノイド１４０がＯＦＦ状態に制御されると、第４ラウンド遊技が終了するまで該振分けソレノイド１４０がＯＦＦ状態に保持され、これによりシャッタ９５は第１振分け姿勢に保持される。従って、実施例の第２特別入賞装置６０は、第２特別入賞口６２から最初に入賞してパチンコ球が球導入路９０からが特定領域９１へ振分けられられるが、前記振分けソレノイド１４０の作動条件が成立してシャッタ９５が第１振分け姿勢に姿勢変位した時点で球導入路９０内を移動中のパチンコ球や、該シャッタ９５が第１振分け姿勢に保持された以降に第２特別入賞口６２に入賞したパチンコ球は、非特定領域９２へ振分けられるようになるので、特定領域９１へ振分けられるパチンコ球よりも非特定領域９２へ振分けられるパチンコ球の割合が高くなる。
【００８６】
そして、前記球導入路９０に、前記第１〜第３の導入屈曲部１１１,１１２,１１３が設けられているので、前記第２特別入賞口６２に入賞して該球導入路９０を移動するパチンコ球が、第１〜第３の導入屈曲部１１１,１１２,１１３を通過して変向する際に減速、減勢される。更に、球導入路９０に、前記第２特別入賞検出センサ６５が設置されているので、該球導入路９０を移動するパチンコ球は、該第２特別入賞検出センサ６５の検出孔６５ａを通過する際も適宜減速、減勢される。更に、球導入路９０に、突起１２１が設けられているので、該球導入路９０を移動するパチンコ球は、該突起１２１に接触した際も適宜減速、減勢される。これにより、球導入路９０を移動したパチンコ球は、前記シャッタ９５が前記第１振分け姿勢に保持されていれば、減速、減勢された状態でシャッタ９５の球受け部１４４に落下した後に前記非特定領域９２へ振分けられる。また、球導入路９０を移動したパチンコ球は、前記シャッタ９５が前記第２振分け姿勢に保持されていれば、減速、減勢された状態で前記特定領域９１へ振分けられる。
【００８７】
また、前記非特定領域９２に前記非特定屈曲部１１４が設けられているので、前記シャッタ９５により該非特定領域９２へ振分けられたパチンコ球が、該非特定屈曲部１１４を通過して変向する際に減速、減勢される。一方、前記特定領域９１に前記特定入賞検出センサ６６が設置されているので、該特定領域９１へ振分けられたパチンコ球は、該特定入賞検出センサ６６の検出孔６６ａを通過する際に適宜減速、減勢される。
【００８８】
前述のように構成された実施例のパチンコ機１０によれば、第２特別入賞装置６０における特定領域９１および非特定領域９２において、シャッタ９５による振分けによりパチンコ球が誘導される割合が高い非特定領域９２が、非特定屈曲部１１４が形成されていることで特定領域９１よりも屈曲部が多く設けられている。従って、第２特別入賞口６２に入賞したパチンコ球のうち非特定領域９２へ誘導された多数のパチンコ球は、非特定屈曲部１１４を追加する際に減速、減勢され易い。従って、非特定領域９２を画成する非特定壁部１１０、前板部１０２および後板部１１７は、パチンコ球の衝突による衝撃が軽減されて、該パチンコ球が衝突する頻度が高くても摩損や破損が抑制される。
【００８９】
また、前記第２特別入賞装置６０は、第２特別入賞口６２に入賞したパチンコ球が球導入路９０を移動する際に、第１〜第３の３つの導入屈曲部１１１,１１２,１１３を通過することで該パチンコ球の移動速度および勢いが減速、減勢されるので、シャッタ９５の姿勢に応じて当該パチンコ球が特定領域９１または非特定領域９２へ適切に振分けられる。また、球導入路９０を画成する導入壁部１０８、前板部１１０および後板部１１７にパチンコ球が衝突した際の衝撃が緩和され、該導入壁部１０８、前板部１１０および後板部１１７の摩損や破損を抑制し得る。更に、球導入路９０には、第２特別入賞検出センサ６５の下流側に第２導入屈曲部１１２および第３導入屈曲部１１３が設けられているので、該第２特別入賞検出センサ６５の検出孔６５ａを通過したパチンコ球の移動速度および勢いを、各導入屈曲部１１２,１１３で更に減速、減勢させ得る。
【００９０】
また、実施例のパチンコ機１０は、第２特別入賞装置６０を、枠状装飾体４０における演出窓口４０ａを囲む枠本体４１において、左右の寸法を大きくすることができない左側部に設置するために、第２装置本体６１が左右の寸法よりも上下の寸法を大きくした縦長であるにも拘わらず、前記球導入路９０および非特定領域９２に屈曲部(第１〜第３導入屈曲部１１１,１１２,１１３および非特定屈曲部１１４)を設けたことで、第２特別入賞口６２に入賞したパチンコ球の速度、勢いを好適に減速、減勢させ得る。更に、前記球導入路９０に設置した前記第２特別入賞検出センサ６５や突起１２１により、該球導入路９０を移動するパチンコ球の速度、勢いを更に減速、減勢させ得る。また更に、前記特定領域９１に設置した前記特定入賞検出センサ６６により、該特定領域９１を移動するパチンコ球の速度、勢いを減速、減勢させ得る。
【００９１】
また、前記第２特別入賞装置６０は、枠状装飾体４０の枠本体４１における左側部の左右の寸法に合わせて、第２装置本体６１の左右の寸法が設定されているので、当該第２特別入賞装置６０を枠状装飾体４０の左側部に設置することで遊技盤２０の遊技領域２４(第１遊技領域２４ａ)が狭くなることを回避し得るので、遊技領域２４を流下するパチンコ球の動きを多様化させて遊技の興趣を向上させ得る。また、当該第２特別入賞装置６０を枠状装飾体４０の左側部に設置しても、前記設置部材７５に配設されて該枠状装飾体４０の演出窓口４０ａに臨む図柄表示装置８０の表示部８１や可動演出装置等の視認性が低下することを防止し得る。
【００９２】
また、前記シャッタ９５の球受け部１４４は、非特定領域９２の上流入部に向けて下方傾斜しているので、該球受け部１４４で受けた遊技球を該非特定領域９２へスムーズかつ迅速に振分けることができる。一方、シャッタ９５の球受け部１４４は、その基端から延出端にいくにつれて前端)厚みが徐々に小さくなっており、例えばシャッタ９５が第２振分け姿勢から第１振分け姿勢に姿勢変位する際に、球受け部１４４の先端と前記前板部１０２の後面との間にパチンコ球が挟み込まれることが防止される。これにより、シャッタ９５の姿勢変位が規制されることで振分けソレノイド１４０や各連係部材１４１,１４２の破損や故障が発生することを防止する。
【００９３】
〔変更例〕
本発明に係る遊技機は、実施例に例示の形態に限らず種々の変更が可能である。
（１）枠状装飾体に対する入賞手段の配設位置は、該枠状装飾体の左側部に限るものではなく、該枠状装飾体の開口部の周囲における右側部や下側部等であってもよい。
（２）実施例では、大当り遊技において、第４ラウンド遊技以外のラウンド遊技において第１特別入賞装置が作動制御されると共に該第４ラウンド遊技において第２特別入賞装置が作動制御される構成を例示したが、第１大当り遊技および第２大当り遊技における全てのラウンド遊技において前記第２特別入賞装置が作動制御されるようにして、該第２特別入賞装置だけを備えた構成であってもよい。
（３）入賞手段は、枠状装飾体に配設されたものに限らず、遊技盤の遊技領域に設置したものであってもよい。例えば、遊技盤の遊技領域に配設した枠状装飾体の右側に位置する第２遊技領域に入賞手段を配設して、該第２遊技領域を移動した遊技球が入賞可能となるよう構成することが可能である。
（４）振分け手段は、スライド式のシャッタタイプに限るものではなく、揺動式や回転式等であってもよい。
（５）実施例では、振分けられる遊技球の割合が高い非特定領域に屈曲部を１つだけ設けた構成を例示したが、屈曲部は２つ以上設けてもよい。また、振分けられる遊技球の割合が少ない特定領域に屈曲部を設けない場合を例示したが、該特定領域に、非特定領域に設けた屈曲部より少ない数の屈曲部を設けてもよい。  
（６）実施例では、球導入路に３つの導入屈曲部を設けた構成を例示したが、該導入屈曲部の数は２つ以下または４つ以上であってもよい。
（７）実施例では、球導入路に設けた減速手段としての入賞検出センサ(第２特別入賞検出センサ)を、遊技球が通過する検出孔が上下方向に開口する向きに設置した態様を例示したが、該入賞検出センサは、当該球導入路の球移動方向に合わせて検出孔が横方向または斜め方向に開口する向きで設置するようにしてよい。
（８）実施例では、大当り遊技の実行中において、入賞手段の第１領域に振分けられた遊技球を検出手段で検出したことを、振分け手段が第２振分け姿勢から第１振分け姿勢へ姿勢変位する特定の作動条件としたが、該振分け手段の姿勢変位の契機となる特定の作動条件はこれに限るものではない。例えば、前記振分け手段を作動制御する期間の開始からの経過時間を計測する計時手段を備えると共に、所定の作動判定時間を設定しておき、前記計時手段が前記作動判定時間を計時したことを、振分け手段が第２振分け姿勢から第１振分け姿勢へ姿勢変位する作動条件としてもよい。すなわち、振分け手段を作動制御する期間の開始に基づいて該振分け手段を前記第２振分け姿勢に姿勢変位し、該期間の開始から前記作動判定時間が経過するまでに前記特定入賞検出センサによる検出信号が制御手段に入力されない場合に、当該作動判定時間が経過したことを契機として、振分け手段を前記第１振分け姿勢に姿勢変位させる。
（９）振分け手段の作動制御の期間は、当り遊技(大当り遊技)の特定のラウンド遊技の実行中に限るものではない。例えば、当り遊技の生起前の遊技状態において、始動入賞装置の始動入賞口に遊技球が入賞することを契機として入賞口が開放するよう入賞手段を構成する。そして、当り遊技の生起前の遊技状態中に始動入賞口に遊技球が入賞した際に、小当り遊技として、前記入賞口が開放すると共に振分け手段が姿勢変位する作動制御の期間を設定してもよい。また、入賞手段が作動して遊技球が該入賞手段に入賞した際に、第１領域へ該遊技球が誘導された場合には所定数の賞球が払い出されるようにし、第２領域へ該遊技球が誘導された場合には賞球が払い出されないようにしてもよい。
（１０）第１領域へ遊技球が誘導されることで、当該当り遊技の終了後に遊技者に付与される有利な特定遊技状態は、当該当り遊技の終了後に付与される確変状態に限らない。例えば、第１領域へ遊技球が誘導されることで、当該当り遊技の終了後に、遊技者に有利な特定遊技状態として変短(変動短縮)状態が付与されるようにしてもよい。
（１１）特定の作動条件の成立に基づく振分け手段の姿勢変位は、第１領域へ遊技球を振分ける第２振分け姿勢から第２領域へ遊技球を振分ける第１振分け姿勢への姿勢変位に限るものではなく、該第１振分け姿勢から該第２振分け姿勢への姿勢変位であってもよい。
【００９４】
（１２）振分け手段の作動態様は、特定入賞検出センサがパチンコ球を検出したことを契機として振分け手段が第２振分け姿勢から第１振分け姿勢に姿勢変位する態様に限らず、前記特定入賞検出センサの検出有無に関係なく該振分け手段が姿勢変位する態様であっても、第１領域に振分けられる遊技球および第２領域へ振分けられる遊技球の割合を異ならせることができる。
例えば、振分け手段を作動制御する期間において、振分け手段が第２振分け姿勢に保持されている期間と、該振分け手段が第１振分け姿勢に保持されている期間を設定する。ここで、振分け手段が第２振分け姿勢に保持されている期間は、該振分け手段が第１振分け姿勢に保持されている期間よりも短い時間に設定する。そして、振分け手段を作動制御する期間が開始した際に、先ず振分け手段を第２振分け姿勢に所定時間に亘り保持して第１領域への遊技球の移動を可能とし、該第１領域へ移動した遊技球の発生有無に関係なく、当該所定時間が経過したら該振分け手段を当該作動制御する期間の終了まで第１振分け姿勢に保持して遊技球が第２領域へ移動するようにする。このように作動態様によれば、振分け手段が第２振分け姿勢に保持される時間よりも第１振分け姿勢に保持される時間のほうが長いので、第１領域へ振分けられる遊技球および第２領域へ振分けられる遊技球の割合を異ならせることができる。
一方、別の作動態様として、振分け手段を作動制御する期間において、振分け手段を第１振分け姿勢と第２振分け姿勢とに一定の周期で切り替わるように設定する。ここで、振分け手段が第１振分け姿勢に保持される時間のほうが、該振分け手段が第２振分け姿勢に保持される時間よりも長く設定する。このような作動態様によれば、振分け手段を作動制御する期間においては、第１領域へ振分けられる遊技球および第２領域へ振分けられる遊技球の割合を異ならせることができる。
【００９５】
（１３）当り遊技の生起前の遊技状態において、遊技球がゲート部材を通過することにより実施される普図当り判定によって当りが判定されたことを契機として入賞口が開放するよう入賞手段を構成して、当り遊技の生起前の遊技状態中にゲート部材を遊技球が通過して普図当り判定により当りが判定された際に、前記入賞口が開放すると共に振分け手段が姿勢変位する作動制御の期間を設定してもよい。
（１４）実施例では、２種類の大当りのみを例示したが、大当りの種類はこれに限るものではなく、ラウンド遊技の規定回数や遊技内容が異なる種々の大当りを設定することができる。
（１５）大当り遊技のラウンド遊技において第１特別入賞装置または第２特別入賞装置を作動させるラウンドは、実施例で例示した態様に限らない。例えば一例として、各大当り遊技において、偶数回目のラウンド遊技では第１特別入賞装置を作動させる共に奇数回数目のラウンド遊技では第２特別入賞装置を作動させるようにしてもよい。
（１６）第１始動入賞口への遊技球の入賞を契機とした当り判定において当り判定手段が大当りと判定した場合に生起される大当り遊技では、第１特別入賞装置が規定回数のラウンド遊技に作動するようにし、第２始動入賞口への遊技球の入賞を契機とした当り判定において当り判定手段が大当りと判定した場合に生起される大当り遊技では、第２特別入賞装置が規定回数のラウンド遊技に作動するように構成してもよい。
（１７）メイン制御手段(メイン制御ＣＰＵ)が備える機能の全部または一部をサブ制御手段(演出制御ＣＰＵ)が備えるようにしてもよく、反対にサブ制御手段が備える機能の全部または一部をメイン制御手段が備えるようにしてもよい。そして、各実施例では、メイン制御基板とサブ制御基板(演出制御基板)とを分けて設けるようにしたが、単一の制御基板とすることもできる。すなわち、各実施例におけるメイン制御手段およびサブ制御手段の機能を、単一の制御基板に設けた制御手段(ＣＰＵ)が備えるようにしてもよい。更に、別途制御基板を備えて、各実施例のメイン制御手段やサブ制御手段が備える機能の全部または一部を、別の制御手段に備えさせてもよい。
（１８）実施例では、遊技媒体としてパチンコ球を使用したパチンコ機を例示したが、アレンジボール機であってもよい。
【符号の説明】
【００９６】
２０ 遊技盤
６０ 第２特別入賞装置(入賞手段)
６２ 第２特別入賞口(入賞口)
６３ 第２特別開閉部材(開閉部材)
６３ｂ 第２当受け面(受け面)
６５ 第２特別入賞センサ(減速手段)
７３ ゲート部材
９０ 球導入路
９１ 特定領域(第１領域)
９２ 非特定領域(第２領域)
９５ シャッタ(振分け手段)
１１４ 非特定屈曲部(屈曲部)
１１６ 連係ピン(規制手段)
１２０ 弧状貫通孔(規制手段)
１７０ａ メイン制御ＣＰＵ(当り判定手段)
【図１】
0006420784.tif 000002
【図２】
0006420784.tif 000003
【図３】
0006420784.tif 000004
【図４】
0006420784.tif 000005
【図５】
0006420784.tif 000006
【図６】
0006420784.tif 000007
【図７】
0006420784.tif 000008
【図８】
0006420784.tif 000009
【図９】
0006420784.tif 000010
【図１０】
0006420784.tif 000011
【図１１】
0006420784.tif 000012
【図１２】
0006420784.tif 000013
【図１３】
0006420784.tif 000014
【図１４】
0006420784.tif 000015